(57)【要約】  殺菌対象領域を効率よく、安全に殺菌し、また殺菌状態を維持することにより、殺菌対象領域（における設備等）の稼働率低下を防ぐことが可能な紫外線照射装置、紫外線照射方法、照明装置および紫外線照射システムを提供する。  紫外線照射装置１００は、所定の主波長の紫外線を出力可能な紫外線照射手段１１２と、駆動制御手段１１３と、を有し、駆動制御手段１１３は、稼動前または稼働中の殺菌対象領域Ｓを殺菌するために必要な時間と、殺菌後の菌の増殖の時間とに応じて、紫外線照射手段１１２による紫外線の照射／非照射の時間制御を行う。
2019186880.tif 000002
【特許請求の範囲】
【請求項１】
殺菌対象領域に紫外線を照射して殺菌する紫外線照射装置であって、
所定の主波長の紫外線を出力可能な紫外線照射手段と、
駆動制御手段と、を有し、
前記駆動制御手段は、稼動前または稼働中の前記殺菌対象領域を殺菌するために必要な時間と、殺菌後の菌の増殖の時間とに応じて、前記紫外線照射手段による紫外線の照射／非照射の時間制御を行う、
ことを特徴とする紫外線照射装置。
【請求項２】
前記駆動制御手段は、
前記殺菌対象領域の殺菌処理の初回において紫外線を第一の時間で照射した後に非照射の状態を第二の時間維持するように前記紫外線照射手段を制御するものであり、
前記第一の時間は、前記初回の殺菌が可能な時間であり、
前記第二の時間は、前記第一の時間が経過した後の所定の菌の増殖を抑制可能な時間であり、
前記第二の時間は前記第一の時間よりも長い時間である、
ことを特徴とする請求項１に記載の紫外線照射装置。
【請求項３】
前記駆動制御手段は、
前記第二の時間が経過した後に紫外線の再度の照射と、再度の非照射を少なくとも１回行うように前記紫外線照射手段を制御するものであり、
前記再度の照射の時間は第三の時間であり、
前記再度の非照射の時間は第四の時間であり、
前記第三の時間は、前記第二の時間が経過した後に増加した前記菌の殺菌が可能な時間であり、
前記第四の時間は、前記第三の時間が経過後の前記菌の増殖を抑制可能な時間であり、
前記第四の時間は、前記第三の時間よりも長い時間である、
ことを特徴とする請求項２に記載の紫外線照射装置。
【請求項４】
前記第三の時間は前記第一の時間より短い時間である、
ことを特徴とする請求項３に記載の紫外線照射装置。
【請求項５】
前記殺菌対象領域の少なくとも紫外線照射領域における有人／無人を検知する検知手段を備え、
前記駆動制御手段は、前記検知手段が有人であることを検知した場合には前記紫外線照射手段を非照射にする、
ことを特徴とする請求項１乃至請求項４のいずれかに記載の紫外線照射装置。
【請求項６】
前記紫外線照射手段は、ＵＶＣ領域の波長の紫外線を出力する、
ことを特徴とする請求項１乃至請求項５のいずれかに記載の紫外線照射装置。
【請求項７】
紫外線が空気中へ照射されることによるオゾンの生成を阻害する阻害手段を備える、
ことを特徴とする請求項１乃至請求項６のいずれかに記載の紫外線照射装置。
【請求項８】
前記紫外線照射手段を複数備える、
ことを特徴とする請求項１乃至請求項７のいずれかに記載の紫外線照射装置。
【請求項９】
前記殺菌対象領域は作業者が入退室可能であり、所定の清潔性が維持されていることが想定されている作業空間である、
ことを特徴とする請求項１乃至請求項８のいずれかに記載の紫外線照射装置。
【請求項１０】
殺菌対象領域に紫外線を照射して殺菌する紫外線照射方法であって、
稼働中の前記殺菌対象領域を殺菌するために必要な時間と、殺菌後の菌の増殖の時間とに応じて、所定の主波長の紫外線の照射／非照射の時間制御を行う、
ことを特徴とする紫外線照射方法。
【請求項１１】
前記殺菌対象領域の殺菌処理の初回において第一の時間で紫外線を照射するステップと、
前記第一の時間の経過後に紫外線の非照射の状態を第二の時間維持するステップとを有し、
前記第一の時間は、前記初回の殺菌が可能な時間であり、
前記第二の時間は、前記第一の時間が経過した後の所定の菌の増殖を抑制可能な時間であり、
前記第二の時間は前記第一の時間よりも長い時間である、
ことを特徴とする請求項１０に記載の紫外線照射方法。
【請求項１２】
前記第二の時間の経過後に第三の時間で紫外線を再度照射するステップと、
前記第三の時間の経過後に再度の非照射を第四の時間維持するステップを有し、
前記第三の時間は、前記第二の時間が経過した後に増加した前記菌の殺菌が可能な時間であり、
前記第四の時間は、前記第三の時間が経過後の前記菌の増殖を抑制可能な時間であり、
前記第四の時間は前記第三の時間よりも長い時間である、
ことを特徴とする請求項１１に記載の紫外線照射方法。
【請求項１３】
前記第三の時間は前記第一の時間より短い期間である、
ことを特徴とする請求項１２に記載の紫外線照射方法。
【請求項１４】
前記殺菌対象領域の少なくとも紫外線照射領域における有人／無人を検知し、有人であることを検知した場合には紫外線を非照射にする、
ことを特徴とする請求項１０乃至請求項１３のいずれかに記載の紫外線照射方法。
【請求項１５】
紫外線は、ＵＶＣ領域の波長を有する、
ことを特徴とする請求項１０乃至請求項１４のいずれかに記載の紫外線照射方法。
【請求項１６】
紫外線は、オゾンが生成される波長が除かれた状態で空気中に照射される、
ことを特徴とする請求項１０乃至請求項１５のいずれかに記載の紫外線照射方法。
【請求項１７】
請求項１乃至請求項９のいずれかに記載の紫外線照射装置と照明用光源とを備えた照明装置。
【請求項１８】
前記照明用光源の光の照射方向と、前記紫外線照射装置の紫外線照射方向の少なくとも一部が同方向に設定されている、
ことを特徴とする請求項１７に記載の照明装置。
【請求項１９】
前記光の照射方向と前記紫外線照射方向を変更可能な調整手段を備える、
ことを特徴とする請求項１８に記載の照明装置。
【請求項２０】
前記照明用光源はハロゲンランプまたはＬＥＤであり、無影灯の機能を有する、
ことを特徴とする請求項１７乃至請求項１９のいずれかに記載の照明装置。
【請求項２１】
請求項１乃至請求項９のいずれかに記載の紫外線照射装置と、
前記殺菌対象領域への人物の入出を管理する管理手段とを備え、
前記駆動制御手段は、前記管理手段による入出の管理と連動させて前記紫外線照射装置の制御を行う、
ことを特徴とする紫外線照射システム。
【発明の詳細な説明】
【技術分野】
【０００１】
本発明は、紫外線照射装置、紫外線照射方法、照明装置および紫外線照射システムに関する。
【背景技術】
【０００２】
従来、手術室や無菌室、クリーンルームなど菌数管理が行なわれる作業領域（作業施設）においては、作業の前後などに例えばホルマリン燻蒸や酸化エチレンガス（ＥＯＧ）滅菌、若しくは殺菌剤による清拭などによる殺菌処理が行われ、通常は清潔性が確保されている状態となっている。【０００３】
また、菌数管理が行なわれる作業領域に設置される電子機器（例えば、手術室の無影灯など）では、その内部に流入する空気などによって、当該電子機器の内部が汚染される可能性があるものの、直接開放して清浄や消毒などの殺菌処理を行うことができない。このため、従来より、当該電子機器のケース内の内側に紫外線ＬＥＤを設け、ケース内側に紫外光を照射することによってケース内側の殺菌処理する機器が知られている（例えば、特許文献１参照）。
【先行技術文献】
【特許文献】
【０００４】
【特許文献１】特開２００７−４４３３４公報
【発明の概要】
【発明が解決しようとする課題】
【０００５】
しかしながら、ホルマリン燻蒸、ＥＯＧ滅菌などによる殺菌処理は大掛かりで費用がかかる上、人体には有害であるため、本来の作業を行なう時間（作業領域の稼働中）以外の時間に行なわなければならず、作業領域および／または作業領域内の設備等の稼働率を低下させる大きな要因となっている。【０００６】
また、殺菌剤による清拭は作業者の手作業であるため、作業の時間もかかり、作業領域内の設備等の稼働率低下、人件費の増加など同様の問題がある。【０００７】
作業領域として手術室を例に挙げると、殺菌処理を行った後であっても、医師や看護師、患者などの出入りによって手術室内には菌が持ち込まれるため、本来、清潔性が確保されている状態（略滅菌状態）が望ましい手術中に至るまで殺菌処理直後の状態を維持することは略不可避である。【０００８】
また例えば、特許文献１に記載の技術は、手術室等で用いられる電子機器（無影灯など）の内部を局所的に殺菌するものであり、殺菌対象の作業領域（天井、床、壁、空間等）までをも殺菌することはできない。【０００９】
このように人体に影響がある菌が繁殖する可能性がある作業環境下においては感染の予防は必須であり、作業領域を全体的に安全に殺菌する必要がある一方で、設備等の稼働率を向上させ、保守管理コストを低減する要求が高く、合理的な方法で、感染管理や清潔管理を行うことが強く求められている。【００１０】
本発明は、斯かる実情に鑑み、殺菌対象の作業領域（殺菌対象領域）を効率よく、安全に殺菌し、また殺菌状態を維持することにより、殺菌対象領域（における設備等）の稼働率低下を防ぐことが可能な紫外線照射装置、紫外線照射方法、照明装置および紫外線照射システムを提供しようとするものである。
【課題を解決するための手段】
【００１１】
本発明は、殺菌対象領域に紫外線を照射して殺菌する紫外線照射装置であって、所定の主波長の紫外線を出力可能な紫外線照射手段と、駆動制御手段と、を有し、前記駆動制御手段は、稼動前または稼働中の前記殺菌対象領域を殺菌するために必要な時間と、殺菌後の菌の増殖の時間とに応じて、前記紫外線照射手段による紫外線の照射／非照射の時間制御を行う、ことを特徴とする紫外線照射装置である。【００１２】
また、本発明は、殺菌対象領域に紫外線を照射して殺菌する紫外線照射方法であって、稼働中の前記殺菌対象領域を殺菌するために必要な時間と、殺菌後の菌の増殖の時間とに応じて、所定の主波長の紫外線の照射／非照射の時間制御を行う、ことを特徴とする紫外線照射方法である。【００１３】
また、本発明は、上記の紫外線照射装置と照明用光源とを備えた照明装置である。【００１４】
また、本発明は、上記の紫外線照射装置と、前記殺菌対象領域への人物の入出を管理する管理手段とを備え、前記駆動制御手段は、前記管理手段による入出の管理と連動させて前記紫外線照射装置の制御を行う、ことを特徴とする紫外線照射システムである。
【発明の効果】
【００１５】
本発明によれば、殺菌対象領域を効率よく、安全に殺菌し、また殺菌状態を維持することにより、殺菌対象領域（における設備等）の稼働率低下を防ぐことが可能な紫外線照射装置、紫外線照射方法、照明装置および紫外線照射システムを提供できる、という優れた効果を奏し得る。
【図面の簡単な説明】
【００１６】
【図１】本発明の実施形態に係る紫外線照射装置を説明する図であり（Ａ）概要図、（Ｂ）側断面図、（Ｃ）点灯／消灯制御のタイミングチャートである。
【図２】本発明の実施形態に係る紫外線照射方法を説明するフロー図である。
【図３】（Ａ）本発明の実施形態に係る紫外線照射装置が備えるＵＶランプの出力波長分布とＤＮＡのＵＶ吸収率の関係を示すグラフであり、（Ｂ）ＤＮＡのＵＶ吸収率とＵＶによる殺菌率の関係を示すグラフである。
【図４】菌種ごとのＵＶによる不活化に必要なエネルギー量の一覧を示す表である。
【図５】菌種ごとの殺菌率とＵＶ照射量の関係を示すグラフである。
【図６】本発明の実施形態に係る紫外線照射装置が備えるＵＶランプの照射距離とＵＶ照度の関係を示すグラフである。
【図７】（Ａ）枯草菌とウエルシュ菌の培養温度変化に伴う倍化（倍加）時間の変化を示すグラフであり、（Ｂ）枯草菌とウエルシュ菌の培養温度に伴う倍化（倍加）時間と平均細胞長を示す表である。
【図８】本発明の実施形態に係る紫外線照射装置の配置と点灯／消灯の制御の一例を示す概要図である。
【図９】本発明の実施形態に係る照明装置の外観斜視図である。
【図１０】本発明の実施形態に係る照明装置の外観斜視図である。
【図１１】本発明の実施形態に係る照明装置の側断面図である。
【図１２】本発明の実施形態に係る照明装置の紫外線の照射方向を示す概要図である。
【図１３】本発明の実施形態に係る照明装置の回路概要図である。
【発明を実施するための形態】
【００１７】
以下、本発明の実施の形態について図１〜図１３を参照して説明する。
【００１８】
＜紫外線照射装置＞
図１は、本実施形態の紫外線照射装置１００の概要を示す図であり、同図（Ａ）が作業領域内に紫外線照射装置１００を取り付けた状態の外観図、同図（Ｂ）が紫外線照射装置１００の内部構成を示す断面概要図である。また、同図（Ｃ）は紫外線照射装置１００の紫外線の照射（ＯＮ）／非照射（ＯＦＦ）の一例を示すタイミングチャートである。なお、本図及び以降の各図において、一部の構成を適宜省略して、図面を簡略化する。また、本図及び以降の各図において、部材の大きさ、形状、厚み等を適宜誇張して表現する。
【００１９】
同図（Ａ），同図（Ｂ）を参照して、本実施形態の紫外線照射装置１００は、殺菌対象領域Ｓに紫外線（便宜上同図（Ａ）に破線で示す）を照射して殺菌対象領域Ｓ内の空間、設備等を殺菌するものであり、ケース１１１と、ケース１１１に設けられた紫外線照射手段１１２と、駆動制御手段１１３と、集光手段１１４と、検知手段１１５を有する。
【００２０】
なお、本実施形態の説明における殺菌対象の「菌」とは、主に人体（動物）に有害な菌（細菌、微生物類、ウィルスの細胞）の総称であり、紫外線による「殺菌」とは、光エネルギーにより菌のデオキシリボ核酸（deoxyribonucleic  acid、以下「ＤＮＡ」）そのものに作用することで、菌をそれ以上増殖させない不活化な状態にすることと定義し、滅菌１０−６未満の処理をいうものとする。
【００２１】
殺菌対象領域Ｓは、作業者が入退室可能であり、例えば菌数管理が行なわれるなどして所定の清潔性が維持されていることが想定（要求）されている作業空間である。本実施形態の殺菌対象領域Ｓは一例として、病院の手術室の内部空間およびそこに存在する物であり、具体的には、天井、床、壁、室内空間（室内の空気）、室内に配置される設備（外表面）などである。また、この場合の殺菌対象領域Ｓは、手術を受ける患者の手術部位を含んでいてもよい。
【００２２】
紫外線照射手段１１２は、所定の主波長の紫外線（ＵＶ：ｕｌｔｒａｖｉｏｌｅｔ）を出力可能な手段であり、より詳細には、紫外線（紫外光）の内の短波長（近紫外線）のＵＶＣ領域の波長を出力可能であり、この光エネルギーによって菌（細菌）のデオキシリボ核酸（ＤＮＡ）を直接破壊することで菌を不活化する能力を有するＵＶ光源である。
【００２３】
具体的には、紫外線照射手段１１２は例えば直管型の低圧水銀ランプ（低圧ＵＶランプ）であり、点灯中の内部圧力（水銀蒸気圧）が１００Ｐａ以下の水銀蒸気中のアーク放電の発光を利用する放電ランプ（金属蒸気放電ランプ）である。低圧水銀ランプ（低圧ＵＶランプ）１１の主波長は、例えば、２５０ｎｍ〜２６０ｎｍであり、好適には２５３ｎｍ〜２５５ｎｍであり、より好適には、２５３．５ｎｍ〜２５４ｎｍ（例えば、２５３．７ｎｍ）である。
【００２４】
また、低圧水銀ランプ１１２は、紫外線の少なくとも出射方向前方にオゾンの生成を阻害する阻害手段１１６が設けられる。阻害手段１１６は、この例では石英ガラスで構成された低圧水銀ランプ１１２のランプスリーブ１１６である。紫外線の波長のうち波長１８４．９ｎｍの遠赤外線は、空気中の酸素と反応し、オゾンを発生する。本実施形態の低圧水銀ランプ１１２は、阻害手段（石英ガラスのランプスリーブ）１１６を透過させることによって出射する紫外線のうちオゾンを生成する１８４．９ｎｍの波長をカットしている。
【００２５】
なお、同図（Ｂ）ではケース１１１の外側下方に低圧水銀ランプ１１２が設けられている例を示しているが、ケース１１１の下面が透明部材で構成されており、その内部に低圧水銀ランプ１１２が収容される（取り付けられる）構成であってもよい。
【００２６】
また、低圧水銀ランプ１１２の周囲またその近傍には、紫外線の照射方向を所定方向に集光させる集光手段１１４を設ける。集光手段１１４は例えばリフレクター、スクリーンまたはレンズなど、光の絞込み（集束）機能を有する部材である。
【００２７】
本実施形態の紫外線照射装置１００は、ケース１１１に上記の低圧水銀ランプ１１２が複数設けられており、それぞれは所定間隔で離間して配置されている。
【００２８】
駆動制御手段１１３は、例えば、駆動電源１１３Ａと制御ユニット１３３Ｂなどであり、稼働中の殺菌対象領域Ｓを殺菌するために必要な時間と、殺菌後の菌の増殖の時間とに応じて、同図（Ｃ）に示すように、紫外線照射手段１１２による紫外線の照射／非照射の時間制御を行う。駆動電源１１３Ａは、殺菌対象領域Ｓの電源等と接続し、複数の低圧水銀ランプ１１２のそれぞれを個別に効率よく点灯／消灯させる。また制御ユニット１１３Ｂは、ＣＰＵ、ＲＡＭ、及びＲＯＭ等から構成される制御回路を含み、各種制御を実行する。ＣＰＵは、いわゆる中央演算処理装置であり、低圧水銀ランプ１１２の点灯／消灯の制御プログラムを含む各種プログラムが実行されて各種機能を実現する。ＲＡＭは、ＣＰＵの作業領域として使用される。ＲＯＭは、ＣＰＵで実行される基本ＯＳやプログラムを記憶する。
【００２９】
殺菌が可能な程度の紫外線照射は、一般的には人体に有害である。本実施形態の紫外線照射装置１００は、汚染の程度が大きい場合には、殺菌対象領域Ｓが稼動していないこと、すなわち、殺菌対象領域Ｓが無人であり未使用状態であることを条件として、所定の菌が殺菌可能な程度の紫外線を照射して、殺菌処理を行う。
【００３０】
また、一旦上記の殺菌処理を行った後で、汚染の程度が低い（或る程度の清潔性が維持されている）場合には、殺菌対象領域Ｓが稼働中（使用中）であっても、有人の状況を把握しつつ、人体に影響が出ない状態で、短時間の紫外線照射を行い、殺菌対象領域Ｓの菌の増殖を抑制することもできる。
【００３１】
同図（Ｃ）を参照して、駆動制御手段１１３は、例えば、殺菌対象領域Ｓの或る一連の殺菌処理ＳＥの初回（例えば、殺菌対象領域Ｓの稼動（使用）前、汚染の程度が大きい場合）において低圧水銀ランプ１１２を点灯し、紫外線を第一の時間Ｔ１で照射した後に低圧水銀ランプ１１２を消灯し、紫外線を非照射の状態を第二の時間Ｔ２の間維持するように低圧水銀ランプ１１２を制御する。
【００３２】
この場合の第一の時間Ｔ１は、初回の殺菌が可能な時間であり、第二の時間Ｔ２は、第一の時間が経過した後の所定の菌の増殖を抑制可能な時間であって、第一の時間Ｔ１よりも長い時間である。
【００３３】
また、初回の殺菌処理後はある程度汚染の状態が低くなっているため、殺菌対象領域Ｓの稼動（使用）中に一時的に短時間で紫外線照射を行ない、所定の菌の増殖を抑制する。つまり、駆動制御手段１１３は、第二の時間Ｔ２が経過した後に、低圧水銀ランプ１１２を再度点灯し、第三の時間Ｔ３で紫外線の再度の照射を行う。その後、低圧水銀ランプ１１２を再度消灯し、第四の時間Ｔ４の間、再度の非照射の状態を維持するように紫外線照射手段１１２を制御する。
【００３４】
この場合の第三の時間Ｔ３は、第二の時間Ｔ２が経過した後に増加した菌の殺菌が可能な短い時間であり、第四の時間Ｔ４は、第三の時間Ｔ３が経過後の菌の増殖を抑制可能な時間であって、第三の時間Ｔ３よりも長い時間である。また、この場合の第三の時間Ｔ３は第一の時間Ｔ１より短い時間である。以降、殺菌対象領域Ｓの使用時間に合わせて、低圧水銀ランプ１１２の第三の時間Ｔ３での点灯と第四の時間Ｔ４での消灯とを繰り返す。
【００３５】
また、駆動制御手段１１３は、ケース１１１内の複数の低圧水銀ランプ１１２の点灯／消灯を個別に制御可能である。これにより、複数の低圧水銀ランプ１１２を例えば順次点灯させ、または円を描くように回転させ、あるいは個別にランダムで点灯させるなど、任意に設定した方法で点灯、点滅、消灯させることができる。このようにすることで、点灯時（紫外線照射時）に殺菌対象領域Ｓ（または当該領域内に存在する或る特定の殺菌対象）に対して影（非照射の部分）が生じないよう、すなわち満遍なく紫外線を照射可能（紫外線を遮る影を極小化することが可能）となっている。
【００３６】
更に紫外線照射装置１００は、殺菌対象領域Ｓの少なくとも紫外線照射領域における有人／無人を検知する検知手段（人感センサ）１１５を備える。駆動制御手段１１３は、人感センサ１１５が有人であることを検知した場合には低圧水銀ランプ１１２を非照射にする。
【００３７】
人感センサ１１５は、紫外線照射装置１００のケース１１１内部または外部に一体的に取り付けられる。あるいは、人感センサ１１５は、紫外線照射装置１００とは別体に設けられ、駆動制御手段１１３との間で信号の送受信が可能となるように電気的に接続されていてもよい。また、人感センサ１１５は手動でその機能をオン、オフ（強制的にオン、オフ）できるようにするとよい。
【００３８】
このような構成により、本実施形態の紫外線照射装置１００は、本来の機能として稼働中（例えば、手術室であれば、手術中）の殺菌対象領域Ｓを殺菌するために必要な時間と、殺菌後の菌の増殖の時間とに応じて、所定の主波長の紫外線の照射／非照射の時間制御を行う。
【００３９】
＜紫外線照射方法＞
図２を参照して、本実施形態の紫外線照射方法（紫外線照射処理の方法）について説明する。本実施形態の紫外線照射方法は、本来の機能として稼働中（例えば、手術室であれば、手術中）の殺菌対象領域Ｓを殺菌するために必要な時間と、殺菌後の菌の増殖の時間とに応じて、所定の主波長の紫外線の照射／非照射の時間制御を行って殺菌対象領域Ｓの殺菌処理を行うものであり、例えば、図１に示した紫外線照射装置１００によって実行される。
【００４０】
図２は、或る一連の紫外線照射（殺菌）処理ＳＥ（図１（Ｃ）参照）の流れを示すフロー図である。
【００４１】
まず、ステップＳ０１では、殺菌対象領域Ｓの殺菌処理の初回（例えば、殺菌対象領域（手術室）Ｓの使用後、または使用直前など）において第一の時間Ｔ１で紫外線を照射する。この第一の時間Ｔ１は、殺菌対象領域Ｓの初回の殺菌（汚染の程度が高い状態での菌の除去）が可能な程度の時間のうち可能な限り短い期間である。
【００４２】
次に、ステップＳ０２では、第一の時間Ｔ１の経過後に紫外線の非照射の状態を第二の時間Ｔ２維持する（ステップＳ０２）。この第二の時間Ｔ２は、第一の時間Ｔ１が経過した後の所定の菌の増殖を抑制可能な時間のうち可能な限り長い期間である。
【００４３】
第二の時間Ｔ２が経過した後はステップＳ０３に進み、殺菌処理ＳＥを終了するか否か判定する。引き続き殺菌対象領域Ｓを使用する場合（例えば、手術が継続している場合など、ステップＳ０３でＮｏの場合）には、ステップＳ０４以降に進み、有人の状況を把握しつつ、人体に影響が出ない範囲で引き続き紫外線の照射／非照射を繰り返して行なう。
【００４４】
ステップＳ０４では、第二の時間Ｔ２の経過後に第三の時間Ｔ３で紫外線を再度照射する。第三の時間Ｔ３は、第二の時間Ｔ２が経過した後（初回の殺菌処理が終了した後）に増加した所定の対象の菌の殺菌が可能な時間のうち可能な限り短い期間である。また、この第三の時間Ｔ３は第一の時間Ｔ１より短い期間である、
【００４５】
ステップＳ０５では、第三の時間Ｔ３の経過後に再度の非照射を第四の時間Ｔ４維持する。第四の時間Ｔ４は、第三の時間Ｔ３が経過後の所定の対象の菌の増殖を抑制可能な時間のうち可能な限り長い期間である。
【００４６】
以降、ステップＳ０３に戻り、殺菌対象領域Ｓの使用（稼動時間）に応じて、ステップＳ０４、Ｓ０５を適宜繰り返す。
【００４７】
なお、図１（Ｃ）および図２において、繰り返される点灯の第三の期間Ｔ３は同じ時間であり、繰り返される消灯の第四の時間Ｔ４は同じ時間である場合を例示しているが、第三の期間Ｔ３は殺菌処理ＳＥの終了に近づくにつれて徐々に時間が短くなるように設定し、第四の時間Ｔ４は殺菌処理ＳＥの終了に近づくにつれて徐々に時間が長く（直前の第三の時間Ｔ３よりも長く）なるように設定してもよい。また途中で菌数が増加した場合には、第三の時間Ｔ３を前回の第三の時間Ｔ３より長く、第四の時間Ｔ４を前回の第四の時間Ｔ４より短く（直前の第三の時間Ｔ３よりは長く）なるように設定してもよい。
【００４８】
また、殺菌対象領域Ｓの汚染の状況に応じて、ステップＳ０１〜ステップＳ０２で殺菌処理ＳＥを終了させてもよい。
【００４９】
また、紫外線照射処理（殺菌処理）中においては常時、殺菌対象領域Ｓの少なくとも紫外線照射領域における有人／無人を監視し、有人であることを検知した場合には紫外線を非照射にし、無人となった場合に再度照射する。
【００５０】
従来より、菌数管理などが施され、所定の清潔性の維持（低汚染状態、（略）無菌の状態）が要求される領域（殺菌対象領域Ｓ）では、ホルマリン燻蒸やＥＯＧ滅菌や、殺菌剤による清拭などによって殺菌処理（従来方法による殺菌処理）が行われていた。
【００５１】
また、殺菌対象領域Ｓが例えば病院の手術室、処置室や、集中治療室（ＩＣＵ）などの場合には、当該殺菌対象領域Ｓには、医療用の設備器機として、手術台、ベッド、無影灯、麻酔器、患者監視モニター装置、内視鏡ＴＶ装置、処置具などが配備されている。そして、殺菌対象領域Ｓは、手術室、処置室、ＩＣＵなどの部屋（空間）として菌数を抑制することが必要であるだけでなく、個々の機器が菌数抑制される必要性がある。
【００５２】
しかしこれらの従来方法による殺菌処理は大きな手間と費用がかかり、殺菌対象領域Ｓである施設や設備の稼働率が低下するなど、人的、経費的負担が大きく、頻繁には実施しにくい。
【００５３】
また、上述の従来の殺菌処理と併用して、比較的容易に実施できる方法として、紫外線（ＵＶ）照射による殺菌処理も行われている。
【００５４】
例えば、医療用の器具類の場合、洗浄評価判定ガイドライン（一般社団法人日本医療機器学会滅菌技士認定委員会，２０１２）に則り、剪刀や鉗子などの各種鋼製小物は超音波洗浄法などにより洗浄された上で高圧蒸気滅菌やＥＯＧ滅菌などの工程を経て再使用されるが、その保管には任意でＵＶ殺菌庫などの衛生管理機器が用いられ二次汚染予防措置が取られている。
【００５５】
しかしながら、紫外線照射による殺菌処理は、オゾンの発生も含めた人体への悪影響や、照射を受けた設備等が劣化するなどの問題がある。例えば、手術室や処置室などでは、医療従事者が頻繁に立ち入るため、健康上の影響を考慮して一般的には紫外線照射による殺菌処理を行うことが困難である。
【００５６】
また、手術室や処置室などに配置される設備機器は、作業効率の観点から患者および医療従事者の周囲に配置されるのが望ましいため、これらの機器の使用中に紫外線照射を行なうと、医療従事者や患者に悪影響を及ぼす恐れがある。
【００５７】
このため、従来では、殺菌処理のための紫外線照射は、人体に照射されることがない電子機器等の内部や、手術器具、理髪器具の一部などへの直接的な照射や、無人の室内への照射など、限定の場所で限定的に使用されているのみであった。
【００５８】
また、医療用設備である手術台、無影灯、麻酔器、患者監視モニター類、内視鏡ＴＶ装置については、上記のとおり個々の機器として菌数の抑制の必要があるが、設備が大型であり、其々の部品に都度分解して上記の滅菌器により消毒処理を行うことは物理的にも時間制約的にも無理があり、現実の処理として施術前後のアルコール散布と拭き取りの作業が主な対策となっている。このような其々の器具表面に完全な滅菌・消毒処理を施すことは作業者の負担も大きく、効率化を阻む大きな要因となっている。
【００５９】
さらには、上記したような従来方法による殺菌処理を行った後であっても、当該殺菌対象領域Ｓに作業者等が出入りすることによって、作業者等に付着していた菌が殺菌対象領域Ｓに落下することは不可避である。
【００６０】
例えば、殺菌対象領域Ｓが手術室の場合、従来方法による殺菌処理を行った後で、医師、看護師などの医療従事者や患者等が出入りするため、実際に（略）無菌状態が要求される作業時（手術時）には、厳密には手術室内への菌の混入は避けることができない。そうであるからといって、殺菌処理後に混入した菌を増殖させると、最悪の場合は院内感染など大きな問題となる。
【００６１】
従って、従来方法による殺菌処理を行った後も、長い期間をおかずに多頻度で殺菌（除菌）処理を行うことが感染の拡大を防ぐ点では大変重要で効率的であるが、例えば手術中など、殺菌対象領域Ｓの使用中には従来方法による殺菌処理は行うことができない。
【００６２】
このように、アルコール散布と拭き取りや、ＵＶ照射による殺菌処理も含め、従来方法による殺菌処理を多頻度で（特に殺菌対象領域Ｓの稼働中においても）行なうことは、困難であった。
【００６３】
本願出願人は、上記問題を解決するために鋭意努力した結果、紫外線による所定の菌の死滅時間の長さが、菌細胞の分裂倍増時間に比較して短いこと、すなわち、紫外線を照射すると短時間で所定の菌が死滅し、その後、それよりも十分に長い時間、紫外線の照射を停止しても、一定期間は、菌の増殖が顕著にならないことを突き止めた（詳細は後述する）。
【００６４】
そして、殺菌対象領域Ｓの所定の菌の菌数、紫外線照射による当該菌の殺菌時間、および当該菌の増殖時間とを定量的に把握し、殺菌時間と増殖時間の差を活用し、一旦菌を殺菌した後は、当該菌が増殖する前に再度紫外線を照射するというサイクルを繰り返す紫外線照射装置１００に考え至った。
【００６５】
これにより、制限された紫外線の照射量で殺菌対象領域Ｓの作業の稼働率を大きく落とすことなく、所定の菌の増殖を抑制することができる。
【００６６】
更に、殺菌対象領域Ｓが有人であるか否かを検知する人感センサ１１５を紫外線照射装置１００に備えることで、有人の場合には紫外線照射を中断する期間を、殺菌、および増殖抑制のための紫外線照射のサイクルの中に適宜組み込むこととした。これにより、殺菌対象領域Ｓが無人の場合（例えば、夜間など）を中心に紫外線を照射するだけではなく、昼間の殺菌対象領域Ｓの稼働時間内でも、人の立ち入りの状況に応じて紫外線照射のタイミングを管理でき、菌の増殖の抑制条件を維持しながら、運用することが可能になる。
【００６７】
また、紫外線照射装置１００の光源としては、殺菌力が強く、オゾン発生など人体への被害が少ないもの、且つ殺菌対象領域Ｓ（天井、壁、床などや設備機器（の材料）などの劣化が可能な限り少ないものが望まれる。
【００６８】
そこで、紫外線照射装置１００に個々に点灯・消灯の制御が可能な複数の低圧水銀ランプ１１２を設けるとともに、紫外線照射装置１００自体を部屋の天井、壁面、柱、照明器具などの必要な位置に必要な間隔で配置し、必要不可欠のタイミングで、必要不可欠な（最小限の）紫外線の照射量に制限して照射するものとし、殺菌対象領域Ｓ内に満遍なく、必要不可欠な照射量で紫外線を照射可能とした。
【００６９】
なお、既に述べたように、本実施形態の紫外線照射装置１００は、所定の菌の増殖、死滅挙動から考えられるタイミングで照射（点灯・消灯）の制御が行われるが、所定の菌の増殖を抑制するタイミングは、使用する紫外線の波長、照射強度、菌の増殖速度、殺菌対象領域Ｓの存在菌数（バイオバーデン）によって決定される。つまり、当該タイミングは、一義的には規定できないが、部屋ごとに落下菌検査を行い、菌種、菌数、許容菌数、部屋の収容可能人員、滞在時間等などと組み合わせ、バリデーションを行うことで、紫外線照射条件（照射／非照射のタイミング）を決定することができる。
【００７０】
このように本実施形態の紫外線照射装置１００は、汚染の程度が大きい場合には無人の状態（例えば、殺菌対象領域Ｓの稼動前など）で紫外線を照射して殺菌処理を行い、それ以降は、殺菌対象領域Ｓの稼働中（作業中）に作業者等の出入りによって増加した菌の増殖を抑制するものである。これにより、作業前に殺菌処理を行清潔性が確保されている部屋等における、作業中の清潔度の低下を防止することができる。
【００７１】
これにより、手術室、処置室、ＩＣＵなどの部屋として、菌数を抑制することのみならず、これらの室内に配置される設備機器のそれぞれについても菌数抑制することが可能となる。
【００７２】
なお、本実施形態の紫外線照射装置１００とともに従来どおり無人のタイミングで、ホルマリン燻蒸やＥＯＧ滅菌などによる殺菌処理を併用してもよく、この場合、これら従来の殺菌処理の回数を減らすこともできる。
【００７３】
＜紫外線照射による菌の不活化処理＞
以下、紫外線照射による菌の不活化と、本願出願人が見出した紫外線照射による当該菌の殺菌時間と当該菌の増殖時間との差、およびこれを利用した紫外線照射装置１００の原理について説明する。
【００７４】
光放射の内３８０ｎｍより短い波長のエネルギーは紫外放射とされ、物質や生物に対して様々な作用を及ぼすことが知られている。光の特徴は短波長になるほどエネルギー（ｋＪ／ｍｏｌ）が強まり、特に紫外線のＵＶＣ領域（１００ｎｍ〜２８０ｎｍ）になると生物の核酸分子やたんぱく質を分解することが可能となる。
【００７５】
一方、炭素同士の単結合は、２３０ｎｍより長波長では吸収されず、化学変化が得られないとされ、核酸の変化は核酸に含まれる二重結合への光子の吸収が必要である。微生物の不活化の原理としては、２６０ｎｍの波長をピークにした光エネルギーが、生物の細胞核内の遺伝情報を司るＤＮＡとリボ拡散（ribonucleic  acid、以下「ＲＮＡ」）の塩基に吸収される事で、チミン等が二量体化し、細胞分裂の際にそれ以上の複製を行えなくなることで起こる。
【００７６】
このようなことから、紫外線短波長ＵＶＣ領域の出力が可能な紫外線（ＵＶ）ランプが、食品や医療産業用途を中心に衛生管理を向上するための殺菌（菌、ウィルスの細胞の不活化）を効率よく行えるエネルギーとして、食品やパッケージ・フイルム、水処理及び空間の浮遊菌・落下菌の殺菌処理等の分野に於いて幅広く利用されている。
【００７７】
本実施形態の紫外線照射手段１１２は、ＵＶＣ領域のエネルギーを出力することのできる紫外線ランプの一例として、放電管の中に水銀を含有させた水銀ランプ（低圧水銀ランプ１１２）を用いる。
【００７８】
図３は、紫外線によるＤＮＡの不活化の状態を示す図であり、同図（Ａ）が低圧水銀ランプ１１２の出力波長（分光エネルギー）分布にＤＮＡの紫外線（ＵＶ）吸収曲線を重ねた図である。ＵＶ吸収曲線とはＵＶ波長２６０ｎｍにおけるＤＮＡの吸収率（分光感度）を１００とした場合のＵＶ波長に応じたＤＮＡのＵＶ吸収率の相対値であり、同図（Ａ）の縦軸がＵＶ吸収率の相対値であり、横軸がＵＶ波長である。また、同図（Ｂ）はＤＮＡのＵＶ吸収曲線（実線）とＵＶによる殺菌作用曲線（破線）である。殺菌作用曲線とはＵＶ波長２６０ｎｍにおけるＤＮＡの殺菌（不活化）率を１００とした場合のＵＶ波長に応じたＤＮＡの殺菌率の相対値であり、同図（Ｂ）の縦軸が殺菌率の相対値であり、横軸がＵＶ波長［ｎｍ］である。
【００７９】
同図（Ａ）に示すように、低圧水銀ランプでは、放電管内で電子を水銀に衝突されるときに放射される輝線２５３．７ｎｍを主波長として得ることが出来る。そして、生物のＤＮＡ（ＲＮＡも同様）に吸収されるスペクトルは２６０ｎｍを中心とした波長領域に跨っている。また、既に述べたように、紫外放射による殺菌作用はＤＮＡに損傷を与えることによって生じるが、同図（Ｂ）に示すように、その殺菌効果を示す殺菌作用曲線は、ＤＮＡのＵＶ吸収曲線とほぼ一致する。これはＤＮＡ内に連続してあるピリミジン基が、この波長領域の光を吸収をすることで二量体化して遺伝コードが損なわれ、細胞が分化性能を失い不活化するものである。
【００８０】
つまり、低圧水銀ランプから出力するエネルギー２５３．７ｎｍを対象菌に効率良く照射することで高度な消毒（細胞の不活化）処理を行うことが可能となる。
【００８１】
なお、この２５３．７ｎｍの光エネルギーを発光管ガラス内壁に塗布した蛍光体に当て可視光に変換し、照明として利用するのが蛍光灯であるが、殺菌灯の場合は紫外線の短波長を効率良く透過することの出来るＵＶ透過ガラスと更に透過性の高い石英ガラスが用いられる。同種の水銀灯に高輝度が得られ街路灯として主に用いられる高圧水銀灯（時に産業利用として中圧水銀灯と呼ばれる）があるが同時に熱線を多く発する。このため、本実施形態では、熱線を抑えることができるとともに、２５３．７ｎｍの波長を効率良くえることが可能な低圧水銀ランプを紫外線照射手段１１２として採用する。
【００８２】
また、１８４．９ｎｍのＵＶ波長は酸素と反応してオゾンを生成し、部材の劣化や人体への悪影響を与える恐れがある。このため、低圧水銀ランプから空気中に照射された紫外線にオゾンの生成を阻害するため、本実施形態の低圧水銀ランプ（紫外線照射手段）１２は、１８４．９ｎｍの波長をカットすることのできる阻害手段１１６を備える。具体的には当該阻害手段１１６は、石英ガラスのランプスリーブである。なお、紫外線照射手段１１２の紫外線照射方向の前面に別途、石英ガラスの阻害手段１１６を設けてもよい。
【００８３】
ＵＶによる菌の殺菌（不活化）処理は、光が規定量当たらないと処理が行えないデメリットがある反面、薬剤や熱等の殺菌処理方法で問題となる耐性菌は生じさせないため、どの様な菌に対しても効果的な処理が行えるメリットがある。
【００８４】
なお、同図（Ａ）では、低圧水銀ランプは３１０ｎｍ以上の波長も僅かに出力しているが、いずれの波長もＤＮＡの吸収率は５％程度以下であるため、殺菌作用の観点においては略無視できる。
【００８５】
ここで、紫外線による殺菌作用は菌（細胞）のＤＮＡに与えられる殺菌波長帯の光エネルギーの積算光量（積算照射量）［μｊ／ｃｍ２（ｍＪ／ｃｍ２）］で決定する。積算光量は、一定の面積あたりのＵＶ強度（ＵＶの放射強度（放射照度））［μｗ／ｃｍ２（ｍｗ／ｃｍ２）］と照射時間［ｓｅｃ］の積である（式１）。
【００８６】
積算光量［μｊ／ｃｍ２］＝ＵＶ照度［μＷ／ｃｍ２］×時間［ｓｅｃ］  （式１）
【００８７】
紫外線による殺菌処理は、全ての菌に対して有効であるが、菌種によって紫外線の耐性（感受性）が異なるため、殺菌対象の菌毎にそれぞれ殺菌処理の指標に基づき必要な紫外線照射量を定める。
【００８８】
図４は、菌の種類毎に２６７ｎｍ〜２８７ｎｍのＵＶを照射した場合に９９．９％以上不活化するために必要な積算光量の一例を示す表（出典：国際照明学会（ＩＥＳ）ライティングハンドブック）である。
【００８９】
同図を参照して、例えば、食品の殺菌基準指標である枯草菌芽胞を９９．９％以上殺菌するために必要な積算光量は３３２００［μＪ／ｃｍ２］であり、インフルエンザウイルスを９９．９％以上殺菌するために必要な積算光量は１０５００［μＪ／ｃｍ２］である。つまり、これらの指標値に基づき、殺菌対象の菌に応じて低圧水銀ランプ１１２の積算光量が設定される。
【００９０】
図５は、ＵＶ照射による菌の殺菌率を示すグラフであり、縦軸が殺菌率［％］および生存率［Ｎ／Ｎ０］であり、横軸がＵＶ照射量（照度）の平均値［ｍｗ・ｓｅｃ／ｃｍ２］である。同図（Ａ）が大腸菌であり、同図（Ｂ）が腸球菌であり、同図（Ｃ）が枯草菌のグラフである。また各図の実線は既知の理論値であり、同図（Ａ），および同図（Ｂ）における破線は実際に本実施形態の低圧水銀ランプ１１２を用いてそれぞれの菌に対して紫外線を照射した殺菌試験を行い、その結果をプロットしたものである。同図（Ａ）〜同図（Ｃ）においてはグラフの縦軸の下方に行くほど高い殺菌効果が得られ、一段毎に一桁ずつ殺菌能力が高まっていることを表している。
【００９１】
（試験条件／大腸菌）
試験菌をＳＣＤＢ培地に接種し、３５℃±１℃、１８時間〜２０時間振とう培養した。培養後の菌体を精製水に１ｍＬ当りの菌数が約１０１０となるように懸濁させ、試験菌液とした。
【００９２】
また、原水約５００Ｌに試験菌液１００ｍＬを添加、混合し、試験液とした。当該試験液を流量７１Ｌ／ｍｉｎ、９５Ｌ／ｍｉｎ、１４２Ｌ／ｍｉｎ、２１３Ｌ／ｍｉｎ及び３７０Ｌ／ｍｉｎの条件で、低圧水銀ランプ１１２に通過させ、通過水を採水した。その後、低圧水銀ランプ１１２通過前の試験液および通過水の細菌数を測定した。
【００９３】
また、ＳＡ培地を用いた混釈平板培養法（３５℃±１℃、２４時間培養）により測定した。
【００９４】
（試験条件／腸球菌）
試験菌をＳＣＤＢ培地に接種し、３５℃±１℃、１８時間〜２０時間振とう培養した。培養後の菌体を精製水に１ｍＬ当りの菌数が約１０１０となるように懸濁させ、試験菌液とした。
【００９５】
また、原水約５００Ｌに試験菌液１００ｍＬを添加、混合し、試験液とした。当該試験液を流量８．３Ｌ／ｍｉｎ、１７Ｌ／ｍｉｎ及び３３Ｌ／ｍｉｎの条件で、低圧水銀ランプ１１２に通過させ、通過水を採水した。次に採水した通過水を２０℃±１℃で１４日間保存した。低圧水銀ランプ１１２通過前の試験液および採水直後及び２０℃±１℃で１４日間保存後の通過水の細菌数および腸球菌数を測定した。
【００９６】
また、細菌数はＳＡ培地を用いた混釈平板培養法（３５℃±１℃、２４時間培養）またはメンブランフィルター法（３５℃±１℃、２４時間培養）により測定し、腸球菌数は、ＫＦ培地を用いた混釈平板培養法（３５℃±１℃、４８時間培養）またはメンブランフィルター法（３５℃±１℃、４８時間培養）により測定した。
【００９７】
なお、上記殺菌試験は、流水試験であるが、処理対象である水が空気に代わるだけで、ＵＶによる殺菌の効果は、図４に示す菌種毎のエネルギー量を確保することで十分な殺菌効果が得られる。また、殺菌対象領域Ｓにおける落下菌に対しても同様のことが言える。
【００９８】
また、紫外線殺菌の場合は光の照射量で殺菌率が決定するため、照射距離（ＵＶ光源からの距離）も殺菌率に影響し、また照射する時間で大きく効果が変化する。例えば、図５（Ａ）及び同図（Ｂ）に示す本実施形態の低圧水銀ランプ１１２の場合、最遠部からの照射距離は（低圧水銀ランプ１１２から殺菌対象領域Ｓまでの距離が約８０ｍｍである。殺菌対象が液体物の場合は処理槽容積等のファクターより通水量および通過速度が計算できるため、ＵＶ照射時間を設定することができる。
【００９９】
図６は、本実施形態の低圧水銀ランプ１１２の照射距離と、２５４ｎｍの波長におけるＵＶ照度［μＷ／ｃｍ２］の関係を示すグラフであり、Ａが４０Ｗのランプ、Ｂが１００Ｗのランプである。
【０１００】
同図より、例えば照射距離が１００ｍｍでは約２５００μＷ／ｃｍ２のＵＶ照度が得られる。また、大腸菌を例に挙げると、図４より積算光量が５４００μＪ／ｃｍ２のエネルギー量で９９．９％以上の殺菌が可能となる。したがって、５４００／２５００＝２．１６ｓｅｃのＵＶ照射にて十分な殺菌効果が得られることがわかる。なお、ＵＶは理論上距離の二乗に反比例して減衰するので、照射距離が１ｍ程ある場合は数十分のＵＶ照射により、９９．９％以上の殺菌が可能となる。
【０１０１】
一方、図７は、枯草菌とウエルシュ菌の温度変化による倍化（倍加）時間（菌が細胞分裂し倍増（増殖）する時間）の比較を示す図である（出典：奈良先端科学技術大学院大学修士論文  2006年2月2日「ウエルシュ菌と枯草菌の細胞周期に関する比較解析」  奥村  元）。同図（Ａ）は横軸が培養温度［℃］であり、縦軸が倍化（倍加）時間［分］であり、ａが枯草菌であり、ｂがウエルシュ菌である。また、同図（Ｂ）は各培養温度における倍化（倍加）時間と平均細胞長の一覧である。また、使用培地は、枯草菌がＬＢ培地、ウエルシュ菌がＧＡＭ培地を使用した。
【０１０２】
同図を参照して、例えば枯草菌の場合は、２５℃では６５分で倍化（倍加）し、３０℃では３１分で倍化（倍加）することが分かる。
【０１０３】
一方で、図６を参照して、一例として４０Ｗの低圧水銀ランプ１１２の場合、１ｍの照射距離のＵＶ照度は１００μＷ／ｃｍ２（０．１ｍＷ／ｃｍ２）である。
【０１０４】
また、図５（Ｃ）より、枯草菌を９０％殺菌する（細菌感染のリスクを１０分の１にする）場合、約１２ｍＪ／ｃｍ２の積算光量が必要である。つまり、照射距離１ｍの場合の０．１ｍｗ／ｃｍ２のＵＶ照度であれば、１２０秒（２分）の照射によって枯草菌の感染リスクを１０分の１にすることができる。
【０１０５】
既に述べたように、図５（Ｃ）はグラフの縦軸の下方に行くほど高い殺菌効果が得られ、一段毎に一桁ずつ殺菌能力が高まっていることを表しており、上記の枯草菌の例では２分で感染リスクが１０分の１、４分で感染リスクが１００分の１、８分で感染リスクが１万分の１、１０分で感染リスクが１０万分の１になる。
【０１０６】
以上のことから、殺菌対象領域Ｓに対して例えば、初期に１０分間、低圧水銀ランプ１１２によって紫外線を照射すると、当該殺菌対象領域Ｓの菌（枯草菌）による感染リスクは１０万分の１となる一方で、図７より枯草菌の倍化（倍加）時間は、常温で約２０分〜６０分であり、この期間では菌の増加は無視できるといえる。
【０１０７】
また、初期に時間を掛けて殺菌処理を行って殺菌対象領域Ｓの菌数を大幅に減少させた後は、その後に例えば作業者（医療従事者）などに付着して当該殺菌対象領域Ｓ混入した菌数は僅かとなる。そして、その僅かな菌を殺菌するには、ＵＶ照射量（照射時間）も初期の時間に比べて大幅に少なくすることができる。
【０１０８】
このように、本願出願人は、ある菌を殺菌するために必要な時間（上記の例では約１０分）に比べてその菌が倍化（増殖）する時間（上記の例では２０分〜６０分）の方が長いことに着目し、この時間差を利用して紫外線照射を行なうことにより、効率よく安全に殺菌処理を行えることを見出し、また、初期にある程度時間を掛けて殺菌した後は、殺菌対象領域Ｓの使用中であっても、例えば僅かな時間のみ作業を中断・作業者を退避させてＵＶ照射することで、新たに混入した菌を効率的に殺菌可能であることを見出し、これらの知見に基づき本願の紫外線照射装置１００に想到し得た。
【０１０９】
本願の紫外線照射装置１００は、稼動前または稼働中の殺菌対象領域Ｓを殺菌するために必要な時間と、殺菌後の菌の増殖の時間とに応じて、低圧水銀ランプ１１２による紫外線の照射／非照射の時間制御を行うことができる。
【０１１０】
具体的には、低圧水銀ランプ１１２は、主波長が殺菌力の強い（ＤＮＡを効率的に不活化できる）、ＵＶＣ領域（主波長が焼く２５４ｎｍ程度）の紫外線を出力可能であり、殺菌に要する時間を短くするとともに、人体に影響を与えないよう細かく点灯（ｏｎ）／消灯（ｏｆｆ）の設定および制御が可能である。
【０１１１】
より詳細には、紫外線照射装置１００は、図１（Ｃ）に示すように初期（殺菌対象領域Ｓの稼動前、初回の殺菌処理）において菌数を大幅に減少させる或る程度の時間（第一の時間Ｔ１）で点灯して紫外線を照射し、その後は殺菌対象領域Ｓの菌が増殖を抑制できる時間で第一の時間Ｔ２よりも長い時間（第二の時間Ｔ２）消灯する。それ以降は、殺菌対象領域Ｓにおいて増加した僅かな菌を殺菌可能な短時間（第三の時間Ｔ３）の点灯と、当該菌が増殖しない時間で第三の時間Ｔ３よりも長い時間（第四の時間Ｔ４）の消灯を（繰り返し）行うことで、殺菌対象領域Ｓを稼動しながらも可能な限り少ない紫外線の照射量で、効率よく安全に殺菌処理することができる。
【０１１２】
この紫外線照射装置１００は、個別に点灯及び消灯の制御が可能な複数の低圧水銀ランプ１１２を配置し、点灯中（殺菌処理中）においては、紫外線が照射されない影の部分が発生しないよう、複数の低圧水銀ランプ１１２を順次切り換えて点灯の制御をするようにしてもよい。
【０１１３】
また、紫外線照射装置１００は、リフレクターやスクリーン、レンズなどの集光手段（光路絞込み機能）１１４を備え、殺菌対象領域Ｓ内の或る特定の領域に集中的に紫外線を照射できるようにしてもよい。
【０１１４】
また、人感センサ１１５を備え、点灯中（殺菌処理中）であっても、有人を検知した場合には消灯あるいは、シャッターヤスクリーンで紫外線をマスクするなどし、人体への悪影響を回避するようにしてもよい。また例えば、人感センサ１１５が有人を検知下場合には、警告音（告知用音楽やアラーム音）を出力するようにしてもよい。
【０１１５】
このような構成により、殺菌処理の不確実性を改良し、作業者（医療従事者）等、人体に対する安全性を確保しつつ、殺菌対象領域Ｓの菌数管理と施設管理の手間を削減し、殺菌対象領域Ｓの稼働率を大きく損なわずに効率的に殺菌および菌の増殖を防止することができる。
【０１１６】
＜紫外線照射装置１００の配置例と照射制御の例＞
次に、図８を参照して、紫外線照射装置１００の配置例と照射制御の一例についてより具体的に説明する。同図は本実施形態の紫外線照射装置１００を配置する殺菌対象領域（施設）Ｓの一例を示す上面概要図であり、同図（Ａ）は殺菌対象領域Ｓが動物実験用手術室の場合であり、同図（Ｂ）は、殺菌対象領域Ｓが感染患者を受け入れる医療施設の場合である。なお、同図は主に紫外線照射装置１００の紫外線照射手段（低圧水銀ランプ１１２）の配置例を示すためのものであり、それ以外の構成（ケース１１１や駆動制御手段１１３などの他の構成）は図示を省略している。
【０１１７】
まず同図（Ａ）を参照して、殺菌対象領域Ｓは例えば、動物実験の手術室であり、部屋のサイズは例えば床面積が３２（８ｍ×４ｍ）ｍ２、天井高さ２．５ｍである。床面は耐水塗装、天井は耐水樹脂塗装が施されている。また、室内の天井中央にはＨＥＰＡ（ｈｉｇｈ−ｅｆｆｉｃｉｅｎｃｙ  ｐａｒｔｉｃｕｌａｔｅ  ａｉｒ）フィルター（不図示）が設けられている。手術室Ｓ内の設備は、例えば４ｍ四方、高さ０．７ｍのＳＵＳ製の手術台２０１で室内略中央に配置されている。
【０１１８】
また、天井の中央付近には本実施形態の紫外線照射装置１００が設けられている。紫外線照射装置１００は例えば４個の低圧水銀ランプ１１２（４０Ｗ）を備えている。低圧水銀ランプ１１２は、いずれも天井から０．７ｍの位置に吊り下げられる。また、４個の低圧水銀ランプ１１２の例えば略中央には人感センサ１１５が配置され、また不図示の報知音の出力手段（スピーカー）を備えている。紫外線照射装置１００の操作部は、例えば手術室Ｓ外（前室（動物室）２０２）に設けられている。
【０１１９】
前室２０２は陰圧で、手術室Ｓは陽圧に設定され、気流は手術室Ｓから前室２０２に流れるように構成されている。動物は、前室の動物搬入口から入り、前室を通って手術室Ｓに向かう。また術後は手術室Ｓから前室２０２に移動する（小矢印の方向に移動する）。
【０１２０】
また、気流は陽圧である手術室から陰圧である前室２０２に向かって大矢印の方向に流れる。
【０１２１】
低圧水銀ランプ１１２の出力波長は、紫外光の内の短波長のＵＶＣ領域であるエネルギーで、細菌のＤＮＡを直接破壊することで細菌類を不活化する能力を有する。具体的には、低圧水銀ランプ１１２はランプスリーブ１１６が１８４．９ｎｍの波長をカットすることのできるオゾンレス石英で構成され、約２４５ｎｍ（２５３．７ｎｍ）の波長（エネルギー）のみを出力するように構成されている。
【０１２２】
低圧水銀ランプ１１２は紫外線を最も無菌を要求するエリア（手術台２０１）に集中できるよう、手術台２０１の上方にこれを囲むように互いに離間して配置され、殺菌に要する紫外線照射時間と、菌が繁殖する時間との関係を考慮した低圧水銀ランプのオン／オフ制御プログラム（駆動制御手段１１３の一部）によって点灯させる。
【０１２３】
また、人感センサ（図１参照）によって有人／無人を検知し、無人の時間を中心に照射することを上記制御プログラムに組み込むとともに、４個の低圧水銀ランプ１１２を回転させ、あるいはランダムに点灯させるなど、位置を変えて点灯、消灯を行い影になる部分を減少させる。
【０１２４】
手術室Ｓは、例えば、部屋の菌数を粒子数で近似した場合、クリーンルームの規格（ＩＳＯ  １４６４４−１）として、クラス１００（１ｆｔ３中に０．５μｍの粒子が１００個以内であるという清浄度クラス）である。
【０１２５】
本実施形態の紫外線照射装置１００を用いることで、まず患者（実験動物）の開胸（開創）前に手術エリアの菌数を下げることができる。また、手術中においては殺菌のために僅かな時間だけ作業者を退避させて菌数の増加を抑制することができ、可能な限り手術を中断せずに（手術室の稼働率を上げて）殺菌対象領域Ｓの殺菌を行なうことができる。また、手術終了後、閉胸（閉創）前に、僅かな時間、術野に紫外線を照射することで菌の存在確率を下げ多状態で閉胸し、術後感染確立を下げることができる。
【０１２６】
具体的には、殺菌対象領域（手術室）Ｓの稼動例および殺菌処理方法は、以下の通りである。
【０１２７】
手術室Ｓは前日までに既知の方法により清掃し、壁、床、手術台を従来の殺菌剤で清拭し、従来方法によって殺菌された手術用の各種器具を準備する。
【０１２８】
当日、作業者（実験者・手術者）は、手術着（術衣）、キャップ、マスク、手術手袋、保護メガネなどを着用した上で、対象の動物を搬入し、麻酔、剃毛、手術部位を広めに消毒液にて消毒し、覆布を動物の全体に被せ、術野部分の覆布を切除する。この場合、初期状態では例えば、１００ｃｍ２の術野を消毒液で（完全に）消毒することで菌数は０個／ｃｍ２とする。そして、その後に（準備中、手術中に）殺菌対象領域Ｓに増加した落下菌を紫外線照射装置１００にて殺菌する。
【０１２９】
作業者は全員、手術室Ｓ外（前室２０２）に退避し、手術室Ｓ内を無人の状態にして紫外線照射装置１００を点灯する。
【０１３０】
紫外線照射装置１００は、低圧水銀ランプ１１２の点灯期間は、スピーカーより点灯中を報知する報知音（警告メロディー）が出力され、低圧水銀ランプ１１２の消灯期間は報知音が停止される（または、消灯を報知する安全メロディーが出力される）。
【０１３１】
４個の殺菌灯は例えば時計回りに１個ずつ、影を作らないように順番に点灯し、落下菌や術野近傍の浮遊菌を殺菌し、また菌の増加を防ぐ。
【０１３２】
ここで、紫外線照射装置１００の低圧水銀ランプ１１２（４０Ｗ）の紫外線照度は、１ｍの照射距離の場合約０．１ｍｗ／ｃｍ２である（図６）。また、一例として、図５（Ｃ）および図７の枯草菌（芽胞）を指標菌として考えると、殺菌対象領域Ｓにおける感染のリスクを１０分の１（殺菌率９９％）にする場合に必要な紫外線の積算光量は１２ｍＪ／ｃｍ２となる（図５（Ｃ））。
【０１３３】
つまり、約０．１ｍｗ／ｃｍ２の紫外線照度の低圧水銀ランプ１１２の場合、殺菌率が９９％になるまでの照射時間は１２０秒（１２［ｍＪ／ｃｍ２］／０．１［ｍｗ／ｃｍ２］）となる。
【０１３４】
従って、手術室Ｓの紫外線照射装置１００の制御プログラムでは、作業開始の初回（１サイクル目）に例えば１０分間点灯すると、枯草菌（芽胞）の場合には殺菌対象領域Ｓにおける感染のリスクが１０万分の１となる（図５（Ｃ））。つまり、作業直前または作業中に作業者等に付着した枯草菌（芽胞）が室内に落下したり、空気中に混入していた場合であっても、その感染リスクは１０万分の１になる。
【０１３５】
一方、枯草菌の細胞分裂、倍加時間は常温で３０分〜６０分（図７）であるため、この期間の菌の増加は無視できる。
【０１３６】
具体的には、紫外線照射装置１００の始動後、初回（１サイクル目）においては、低圧水銀ランプ１１２を例えば１０分間（第一の時間Ｔ１）点灯し、その後６０分間（第二の時間Ｔ２）消灯する。それ以降（２サイクル目以降）は、２分間（第三の時間Ｔ３）点灯後、２８分（第四の時間Ｔ４）消灯を手術終了まで繰り返す。なお、手術の所要時間は例えば６時間と仮定する。
【０１３７】
この例では作業者は術衣等で全身遮蔽されており、紫外線暴露の影響をほとんど受けず、また、実験動物も、術野を除き覆布で覆われており紫外線暴露の影響をほとんど被爆を受けない。しかしながら、８時間労働環境の場合、ＵＶＣ領域の紫外線の規制量（積算光量の限界量）が３ｍＪ／ｃｍ２であり、積算光量が１００ｍＪ／ｃｍ２の場合には、３０秒間の照射時間が限度である。従って、低圧水銀ランプ１１２の点灯中において作業者が意図せず紫外線暴露を受けないよう、人感センサと報知音にて作業者の安全性を確保する。
【０１３８】
この例では、手術後などの汚染度の高い状態では従来方法による殺菌処理が行われるなど、通常の（従来の）管理で清潔性が確保されている殺菌対象領域（手術室）Ｓにおいて、作業直前から紫外線照射装置１００を動作させることによって、作業者、実験動物などの出入りによって持ち込まれた菌による作業直前又は作業中の清潔度の低下を防止する。
【０１３９】
手術終了後は、術野を縫合し、既知の消毒液にて消毒する。なお、閉胸や閉腹前に意図敵に極僅かの時間（人体や実験動物に影響を与えない程度の僅かな時間）、術野に集中的に低圧水銀ランプ１１２を照射して殺菌してもよい。
【０１４０】
手術後は片付け、清掃および従来方法による殺菌処理後、紫外線照射装置１００の制御プログラム（ｏｎ／ｏｆｆのプログラム）を調整する。例えば、手術室Ｓが稼動していない時間（稼動を休止している予定された夜間など）に、重点的に低圧水銀ランプ１１２を点灯し、人感センサで無人を検知している間は点灯状態を維持する。これにより、次回の手術室Ｓの使用準備として大掛かりな（従来方法による）殺菌処理の回数を低減できる。あるいは従来方法も併用した殺菌処理の確実性を高めることができる。
【０１４１】
また、人感センサ１１５によって有人（動物も含む）を検知した場合、低圧水銀ランプ１１２を停止する。またその結果を参照することにより、以降の意図しない動作（事故）を未然に防ぐ対策をとることができる。なお、手術室Ｓは人体の手術を行なう一般の病院の手術室であってもよい。
【０１４２】
次に、同図（Ｂ）を参照して、殺菌対象領域Ｓは例えば、感染患者を受け入れる医療施設であり待合室Ｓ１、問診・診察室Ｓ２および処置室Ｓ３が３区分されて隣り合って配置された簡易（例えばプレハブ、ユニット）型医療施設である。
【０１４３】
部屋のサイズは例えば、待合室Ｓ１は１２ｍ２、問診・診察室Ｓ２が６ｍ２、処置室Ｓ３が６ｍ２で天井高さは２．２ｍである。
【０１４４】
待合室Ｓ１は陰圧、問診・診察室Ｓ２は陽圧、処置室Ｓ３は陽圧で室内の気流は白抜き矢印のように流れる。また、待合室Ｓ１にはダクトアウトにフィルター（バグフィルター）が設けられており、室内の気流が他の部屋に流入しないようになっている。
【０１４５】
待合室Ｓ１の設備は例えばソファーや掲示ボード（いずれも不図示）の最小限のものとする。
【０１４６】
紫外線照射装置１００は、同図（Ａ）と同様の４個の低圧水銀ランプ１１２を備え、天井直下のコーナー部にそれぞれ配置されている。また図示は省略するが人感センサも設けられている。
【０１４７】
問診・診察室Ｓ２の室内の設備は医師の机と椅子および・患者の椅子、電子カルテ（いずれも不図示）などである。
【０１４８】
紫外線照射装置１００は、例えば、同図（Ａ）と同様の４個の低圧水銀ランプ１１２を備え、天井直下のコーナー部にそれぞれ配置されている。また図示は省略するが人感センサも設けられ、天井にはＨＥＰＡフィルター（の空気の吹き出し口）が設けられている。
【０１４９】
処置室Ｓ３の室内の設備は看護士用処置台、ベッド（いずれも不図示）であり、紫外線照射装置１００は、同図（Ａ）と同様の４個の低圧水銀ランプ１１２を備え、天井直下のコーナー部にそれぞれ配置されている。また図示は省略するが人感センサも設けられ、天井にはＨＥＰＡフィルター（の空気の吹き出し口）が設けられている。
【０１５０】
殺菌対象領域（医療施設）Ｓの稼動例および殺菌処理方法は、以下の通りである。
【０１５１】
待合室Ｓ１、問診・診察室Ｓ２および処置室Ｓ３は、患者受け入れ前（初回）に、例えば１０分間（第一の時間）、低圧水銀ランプ１１２を点灯後、２０分（第二の時間）消灯して消灯時に患者を受け入れる。
【０１５２】
ある患者は、待合室Ｓ１、問診・診察室Ｓ２および処置室Ｓ３の順に破線矢印のように移動するが、それぞれの部屋の低圧水銀ランプ１１２が消灯している場合に、移動可能となる。例えば、或る部屋（例えば問診・診察室Ｓ２）から患者が退室（次の部屋（処置室Ｓ３）に移動）することで無人になると、人感センサがこれを感知し、当該部屋（例えば問診・診察室Ｓ２）への次の患者の受け入れを許可する。この場合、各部屋のドアや入り口付近に、人感センサからの信号を受信して入室の許可（不許可）を表示する表示手段や、音声で案内するスピーカーなどを設けて案内するとよい。また、人感センサの検知結果に連動させて各部屋のドアを自動で開閉（または鍵の施解錠）をするようにしてもよい。
【０１５３】
このようにすることで、患者が入室していない時間帯だけ、殺菌処理を行うことができ、感染拡大のリスクを軽減できる。
【０１５４】
この例では、待合室Ｓ１、問診・診察室Ｓ２および処置室Ｓ３のそれぞれは、患者が不在の場合には通常の清掃や従来方法による計画的な（定期的な）殺菌処理を行えばよく、感染患者受け入れ時には、その１０分前に（初回）に１０分間点灯し、２０分〜３０分で消灯する。
【０１５５】
ただしこの場合、感染源である患者が各部屋を移動し、次の患者が同様に各部屋を移動する。このため、前の患者の細菌感染のリスクを低減するよう、各部屋の低圧水銀ランプの点灯／消灯が制御される。
【０１５６】
紫外線照射装置１００の低圧水銀ランプ１１２の紫外線照射照度は、例えば１ｍの照射距離の場合約０．１ｍｗ／ｃｍ２であり（図６）、前の患者（感染源の患者）の細菌感染のリスクを１／１０にする場合には、紫外線の積算光量は１２ｍＪ／ｃｍ２（図５（Ｃ））であり、照射時間は１２０秒となる。従って、問診・診察室Ｓ２および処置室Ｓ３の紫外線照射装置１００の制御プログラムでは初回（１０分間）の紫外線照射を行なった後であっても、患者が退室した後に（医師等も退室する）３分以上間隔をあけて（うち２分間は紫外線照射を行う）、次の患者を受け入れるようにする。
【０１５７】
また、感染源となる患者が感染している菌種に応じて、感染リスクの低減の程度（患者が退室した後の各部屋の紫外線照射時間）を適宜選択する。例えば、感染リスクを１／１０にしたい場合には２分、１／１００にしたい場合は４分、１／１万にしたい場合は８分程度、各部屋において紫外線照射を行なった後に（この間隔を置いて）次の部屋に移動するように制御する。
【０１５８】
なお、待合室Ｓ１は、患者の受け入れを制限できないので、紫外線照射は、患者受け入れ前に限定されるが、問診・診察室Ｓ２および処置室Ｓ３の殺菌後の空気が、各部屋の圧力損失に従って、待合室Ｓ１に流入するため、空気の汚染を抑制できる。また、問診・診察室Ｓ２および処置室Ｓ３は上記の点灯／消灯の制御プログラムによって前の患者による感染リスクを低減できるので有効性が大きい。
【０１５９】
同図（Ｂ）の簡易（例えばプレハブ、ユニット）型医療施設は、仮設施設や仮設テントなどであってもよく、本実施形態の紫外線照射装置１００と一体的に、移動・設営が可能な紫外線照射ユニットであってもよい。
【０１６０】
また、上記の紫外線照射装置１００と、管理手段を組合わせて紫外線照射システムを構成してもよい。この場合の管理手段は、殺菌対象領域Ｓへの人物の入出を管理するもの（例えば、入退室管理手段）であり、紫外線照射装置１００の駆動制御手段１１３は、管理手段による入出の管理（入退室管理）と連動させて紫外線照射装置１００の制御を行う。
【０１６１】
具体的には、例えば入室のためのＩＣカードが室外に設けたカードリーダで読み取られた場合に部屋のドアが開放可能（入室可能）となり、同時に紫外線照射装置１００が消灯される。また、退出のためのＩＣカードが室内に設けたカードリーダで読み取られた場合に、再び部屋のドアが開放状態（退室可能）となり、その後（例えば退出後にドアが閉まった後に）紫外線照射装置１００が点灯される。この場合、紫外線照射装置１００は人感センサ１１５を設けなくても良いが、二重の安全管理のため人感センサ１１５を設けてもよい。
【０１６２】
図８に示した各例において、初期の紫外線の照射時間（第一の時間Ｔ１）も、初期の菌数をどの程度まで低減させるか（感染リスクの限界をどの程度にするか）により決定する。例えば、感染リスクを１／１０にしたい場合には２分、１／１００にしたい場合は４分、１／１万にしたい場合は８分程度、１／１０万にしたい場合は、１０分程度、などである。
【０１６３】
なお、上記の点灯／消灯の制御プログラムにおける照射（点灯）時間（ＵＶ照度）、消灯時間は一例であり、推定される混入（落下）菌量および菌種、殺菌対象領域Ｓのサイズ、殺菌対象領域Ｓの換気能力、収容人数、従来方法による殺菌処理の程度に応じて、効率よく殺菌が可能で且つ感染を防止する（２回目（２サイクル目）以降の照射の場合には、菌の増殖を抑制する）設定（タイミング）が適宜選択される。
【０１６４】
また、照射（点灯）時間（ＵＶ照度）、消灯時間とともに、照射方向や、殺菌対象領域Ｓ内の空調（空気の流れ）も、効率よく殺菌が可能で且つ感染を防止する（菌の増殖を抑制する）設定が適宜選択される。
【０１６５】
なお、紫外線の照射経路に例えば安全カバーや保護フィルム等の部材が介在する場合は、その透過度を適宜考慮するとよい。具体的には、上述の（式１）の積算光量［μｊ／ｃｍ２］の算出には、照射される物質の透過度や安全係数を考慮し、以下の（式２）により求めるとよい。
【０１６６】
積算光量［μｊ／ｃｍ２］＝ＵＶ照度［μＷ／ｃｍ２］×積算照射時間［ｓｅｃ］×物質の透過度［％］×安全係数      （式２）
【０１６７】
ここで、安全係数はランプ消耗度や安全率等に基づく係数であり、ランプの寿命末期の照度が、初期のランプ照度の７０％であるとして計算した値である。ＵＶによる消毒処理はそのＤＮＡやＲＮＡを損傷させることで、病原微生物を不活化させ感染リスクを低減することができるが、一方で違う光のエネルギーにより細胞としての機能を回復する場合がある。これは細胞内に存在する酵素が作用すると考えらえており、２５３．７ｎｍの波長のＵＶ照射により生じたチミン等の二量体が３６０ｎｍを中心とした近紫外光エネルギーの作用により元の塩基に開裂する反応により生じる。つまり３６０ｎｍ近辺のエネルギーを主波長とする領域の光照射により菌が光回復するとされている。
【０１６８】
光回復は比較的細胞の構造が単純なウィルスではおきないとされるが、大腸菌等の菌類や微生物ではこれらの酵素が備わっている。すなわち、これら病原微生物の中に光回復の能力を有したものがあるものとして捉え、十分なリスク管理を講じる上では光回復原理とその回復速度を考慮することが望ましい。例えば、光回復を考慮した場合には、殺菌に必要なエネルギー量は、図４の２倍にすればよく、大腸菌を例にとると、殺菌に必要となる積算光量５，４００μＪ／ｃｍ２の２倍の積算光量を、光回復を考慮した殺菌に必要なエネルギー量とすれば良いということになる。
【０１６９】
以上の例では、殺菌対象領域Ｓが病院の手術室や待合室、診察室、処置室等である場合を例示したが、無菌室（無菌充てん室）であってもよいし、病院は動物病院等であってもよい。
【０１７０】
また、殺菌対象領域Ｓは、精密機器の製造、医薬品の製造、食品加工（特に保存剤を使わない食品などの加工、無菌充填下降）等を行なうクリーンルームであってもよい。
【０１７１】
また、紫外線照射手段（低圧水銀ランプ）１１２の取り付け位置は、天井に限らず、壁面、床面、柱表面、照明灯の表面や、透光性保護カバー内面、あるいは外面に設置されていてもよい。また、殺菌対象領域Ｓ（室内）に取り付けられるもの（据え置き型）に限らず、紫外線照射手段１１２が可搬型（ハンディタイプ）であってもよい。
【０１７２】
また、紫外線照射手段１１２として直管型の低圧水銀ランプを例示したが、その形状は図示の例に限らず、例えば電球型などであってもよい。
【０１７３】
また、紫外線照射手段（低圧水銀ランプ）１１２のＵＶ強度は光学協会では基準の統一がされておらず、受光素子のＵＶによる劣化もあるため、常時正確な値を得るためには、一定の計器を用いて都度校正を行い管理するとよい。
【０１７４】
これら殺菌に必要な紫外線の強度を測定する方法としては、２６０ｎｍ〜２６５ｎｍに感度ピークを持つポータブルなＵＶ照度計が市販されており、殺菌処理が必要な現場に持ち込んで２５３．７ｎｍのエネルギーのＵＶ強度が得られているか否かを測定できる。落下菌等の細菌をシャーレ上に採取して培養し、菌数を測定する微生物検出法（一般社団法人日本食品分析センター）等との併用による検証で実際の殺菌効果と必要な紫外線線照射量の判定を行う事ができる。
【０１７５】
また、本実施形態の紫外線照射手段１１２は、出力波長が、紫外光の内の短波長のＵＶＣ領域であるエネルギーで、細菌のＤＮＡを直接破壊することで細菌類を不活化する能力を有するＵＶ光源であればよく、例えば、ＬＥＤ（ｌｉｇｈｔ  ｅｍｉｔｔｉｎｇ  ｄｉｏｄｅ）のＵＶランプであってもよい。
【０１７６】
水銀灯以外の紫外線を出力することが出来る光源として代表的なものに水銀レスで紫外領域のエネルギーを得ることが可能なＵＶ−ＬＥＤがある。このＵＶ−ＬＥＤの中でＵＶＣ領域からＵＶＢ領域、特に２６０ｎｍから２８５ｎｍに輝線を持ち単一波長を得ることが出来るＵＶ−ＬＥＤ光源は、発光効率がよく照度低下がし難い特性と長寿命化が図られており、図３に示した殺菌波長領域であるＵＶＣのエネルギー出力に合致している。すなわち、ＵＶ−ＬＥＤ光源においても高い殺菌効果が得られることから、本発明の実施形態として低圧水銀ランプ１１２に変えてＵＶ−ＬＥＤを用いても良い。
【０１７７】
＜照明装置＞
次に、上記の紫外線照射装置１００と照明用光源６を備えた照明装置５０について、手術室で用いられる照明装置（無影灯）５０を例に、図９から図１３を参照して説明する。
【０１７８】
上記の実施形態は、殺菌対象領域Ｓ（室内など）を均一に菌数管理（増殖の抑制）する例を説明したが、例えば手術室などでは、殺菌対象領域Ｓを患者（特に患者の術野）に絞り込んで集中的に紫外線を照射することも可能な構成にすることにより、さらに効率的に菌数抑制ができる場合がある。
【０１７９】
手術室においては、患者は、手術室中央に配置された手術台に乗せられ、不要な部分の衣服をとり、強い殺菌剤で消毒殺菌され、無菌の覆布で一面にカバーされる。そして、手術すべき領域のみ覆布が切除され、医師等の操作する手術用具や術者の手が、この手術すべき領域に侵入していく。この領域に菌が入ると、患者の体内に菌が入り感染する恐れがある。つまりこの場合、術野部分と、その上の空間とが非常に無菌性が強く要求される殺菌対象領域Ｓとなる。
【０１８０】
また、患者が何らかの菌に感染していた場合、手術台及びその周辺は当該菌によって汚染される可能性が高い。このような場合も、患者及びその周囲の領域は特に集中的な殺菌が望まれる領域（殺菌対象領域Ｓ）となる。
【０１８１】
このような殺菌対象領域Ｓに紫外線を集中的に照射して殺菌処理するために、手術台の直上にあり、必要な部分に確実に光を届けるとともに、術野を可能な限り影になる部分なく照らすために設計された照明装置（無影灯）５０に、上述の紫外線照射装置１００を組み入れることとした。
【０１８２】
つまり、本実施形態の照明装置５０は、適宜、手術のための照明（無影灯）としての機能するとともに術野である殺菌対象領域Ｓに適量の紫外線を照射し、また、手術以外の時間帯には手術台を始め手術室内（この場合手術室内も殺菌対象領域Ｓである）に紫外線を照射する紫外線照射装置（殺菌装置）１００として機能する。これにより、手術中においては患者の術野を照らしつつ殺菌するとともに、術後においては飛沫や接触により設備機器表面上に発生するウイルスや細菌類と、落下菌および空中の浮遊菌などの各種菌を効果的に殺菌することができる。
【０１８３】
以下具体的に説明する。図９は、本実施形態の照明装置（無影灯）５０の外観斜視図である。
【０１８４】
同図に示すように、本実施形態の無影灯５０は、照明用光源（ハロゲン灯または白色ＬＥＤ）６と紫外線照射装置１００と、前面クリアカバー２と、本体ユニット（ケース）１と、角度調整グリップ２１と、サイドグリップ２０と、操作パネル１２などを有している。
【０１８５】
本体ユニット１は無影灯５０の全体を統合する。また、サイドグリップ２０は、本体ユニット１の両サイドに設けられ、角度調整グリップ２１は、本体ユニット１の中央部にせり出すように設けられる。サイドグリップ２０および角度調整グリップ２１は、手術中に無影灯５０の位置を適宜任意で調整し、最適な照明を患部に当てるために設けられる。
【０１８６】
照明用光源６は、本体ユニット１前面に均等に配設され、前面クリアカバー２で覆われる。また、照明用光源６からの光２２の照射方向（図１１参照）の全面には、施術によって患部に最適な光量を照射できる集光レンズ（照明用レンズ）５とその調整ダイヤル（不図示）が設けられている。
【０１８７】
無影灯５０の表面を保護する前面クリアカバー２は菌を含んだ飛沫が無影灯５０に付着することを予防する。この前面クリアカバー２は照明としての光を遮らず、且つ紫外線に耐えうる素材として石英ガラスやフッ素樹脂材などの材料を用いる。
【０１８８】
紫外線照射装置１００は、殺菌効果の高いＵＶＣ領域の波長帯のエネルギーを出力することのできる紫外線照射手段１１２としてＵＶランプ（例えば、低圧水銀ランプやＵＶ−ＬＥＤなど）３を備え、当該ＵＶランプ３が前面クリアカバー２の表面に、照明用光源６と交互に配置される以外は、上記の図１等で説明した構成と同様である。
【０１８９】
本体ユニット１の側面には照明用光源６を制御するための点灯切り換えスイッチ１３と無影光の照度の調整など各種の操作が可能な操作パネル１２が設けられている。点灯切り換えスイッチ１３は、例えば、術野が均一に照射されるように複数の照明用光源６を個々に点灯・消灯するためのスイッチであるが、例えばＵＶランプ３のみの点灯と照明用光源６のみの点灯とを切り換える機能を兼ねても良い。
【０１９０】
図１０を参照して、本体ユニット１はその重量に耐えられる強度設計の下で選定された支持具としてのアーム１０とアーム関節１１により支えられ、上下左右のみならず斜め方向にも立体的に動かせ、手術を行なう作業者（医療従事者）の任意によりサイドグリップ２０により自由なポジション変更を可能としている。手術中において的確に施術箇所を照らし出すために、本体ユニット１自体も角度調整グリップ２１により、無影灯５０の照射角度を任意に可変でき、微妙な調整も可能となっている。
【０１９１】
本体ユニット１、アーム１０、サイドグリップ２０および角度調整グリップ２１などの表面カバー部分を構成する材料としては、軽量化を目的としては主に樹脂材料を用いる。躯体の形状維持のための支持材料及び電気部品等は一部に金属類が使用される。前面クリアカバー２周辺は既述のごとく石英ガラス材料やフッ素樹脂を選定する。
【０１９２】
図９および図１１を参照して、本体ユニット１、前面クリアカバー２、背面蓋１９は其々円形の外形を有し、本体ユニット１内部に照明用光源（ハロゲンランプ（場合によっては白色ＬＥＤ））６、照明用光源６の照明光の焦点をコントロールするための照明用レンズ５、照明用光源６からの光を反射させるリフレクター７、照明用光源６の点灯を制御する安定器電源（電子プリント基板、照明用光源６の点灯回路）８、照明用光源６及び安定器電源８を最適な状態で点灯・駆動させるために本体ユニット１内温度を一定温度に保つ冷却ファン９が其々ユニット化されて内室に収納されている。
【０１９３】
また、前面クリアカバー２と背面蓋１９はそれぞれ本体ユニット１に対して開放可能に構成されており、前面クリアカバー２側からと背面蓋１９側それぞれより本体ユニット１内部に部品の組付けとメンテナンスを容易に行なうことが可能となっている。前面クリアカバー２は本体ユニット１前面に勘合し、背面蓋１９は本体ユニット１後ろ面に組付けられる本体ユニット１と一体的に表面カバー部分（ケース部材）を構成している。これらの表面カバー部分は全体的に平面を成しており、埃が付きにくく拭き取り清掃をし易い素材と形状で構成されている。
【０１９４】
紫外線照射装置１００の安定器電源１６も本体ユニット１内に収容される。この場合の安定器電源１６は、電子プリント基板やＵＶランプ点灯回路であり、上述の駆動制御手段１１３の一部である。
【０１９５】
安定器電源８、１６は、本体ユニット１内部若しくはアーム１０により繋がったボックス内に収納され、照明用光源６とＵＶランプ３をそれぞれ効率良く点灯する回路が照明装置５０に一体的に搭載される。
【０１９６】
ＵＶランプ３は、前面クリアカバー２に取り付けられ、略円形の前面クリアカバー２の表面においてその周方向に沿って照明用光源６と交互且つ等間隔に配設される（図９参照）。これにより、照明用光源６の光２２の照射方向（図１０参照）と、ＵＶランプ３の紫外線２３の照射方向（図１２参照）の少なくとも一部が同方向に設定される。ＵＶランプ３の紫外線２３は、集光手段１１４が設けられている場合には、これによってもが照明用光源６の光２２の照射方向と同方向に満遍なく照射される。
【０１９７】
具体的には、集光手段（例えば、リフレクターなど）１１４は例えば本体ユニット１内のＵＶランプ３の背面に設けられて形状が変化するように設けられ、これによって手術室内の天井、壁、床、空間や手術室内にある設備機器とを包括的に照射可能となる。また、それに加えて患者の術野に集中的に照射可能となる。これらの照射方向の切り替えは、例えば集光手段１１４の移動によって行なうことができる。
【０１９８】
さらに、ＵＶランプ３からの紫外線２３は、無影灯５０の前面クリアカバー２の表面に沿っても照射され（図１２参照）、これにより前面クリアカバー２表面も殺菌可能に構成されている。
【０１９９】
なお、照明用光源６の光２２の照射方向と、ＵＶランプ３の紫外線２３の照射方向はそれぞれ、角度調整グリップ２１により任意に変更可能である。また、操作パネル１２などの操作によってそれぞれの照射方向を調整可能に構成してもよい。
【０２００】
本体ユニット１は上記の通り上下左右方向を覆われた筐体であるため、内部に収納された照明用光源６及び安定器電源８、安定器電源１６などは発熱源となり、蓄熱によって其々の部品を破損させてしまうと共に、空調の効いた部屋であっても手術時の環境温度を乱してしまう恐れがある。これら部品を強制的に冷却するために照明用光源６及び安定器電源８上部に常時内部の熱を排熱するための冷却ファン９を設ける。冷却ファン９は、照明用光源６に対応して同数搭載され、本体ユニット１背面の側頭部に設けたルーファー１８より常時喚起することにより本体ユニット１内部の冷却を行える構成となっている。
【０２０１】
照明用光源６は碍子（ＬＥＤの場合はプリント基板）に配設され、その碍子（プリント基板）からは其々安定器電源８等の点灯回路を経て、本体ユニット１外の施設側電源供給口（不図示）まで配線接続される回路を形成している。それぞれの電気部品同士の配線接続は専用のコネクターにより適時脱着可能なようにしており、部品の破損時の交換及びメンテナンス点検を容易なものにしている。ＵＶランプ３及び安定器電源１６も同様に配線接続されており、これらの結線には其々脱着可能なコネクター部品が用いられる。
【０２０２】
また、本体ユニット１内の各電気部品より外部の施設側電源供給口（不図示）に繋がる配線１７は、外部に露出すると手術を行なう作業者の邪魔になるため、本体ユニット１を保持するためのアーム１０及びアーム関節１１内部の空洞を利用して、施設側電源供給口に配線を繋げられるような構造としている。
【０２０３】
本実施形態の本体ユニット１はあらゆる手術等に対応して様々な光の状態を確保するという要求に応えられるよう、天井吊り下げ型で駆動性が良く精度の高いアーム１０とアーム関節１１により支持され、その位置を調整できる構成（図２）とした。しかしこれに限らず、現場の状況に応じて天井埋設型や、自立設置型の支持材によって支持する構成に容易に変更（適用）することが可能となっている。
【０２０４】
本実施形態の無影灯５０は、主に医療施設において手術が行われる際に使用される照明であり、被照射対象となる患者の患部を集中的に影が生じないように複数灯の光源により照らすとともに、施術者である医者及び看護師の治療作業がスムーズに行えるように最適な照度と照射角度が調整できる医療用の特殊照明である。
【０２０５】
無影灯５０の照明用光源（ハロゲン灯若しくは白色ＬＥＤ）６は、本体ユニット１表面に均等に配設され、手術を受ける患者に効率良く照明を施すことが出来る配光設計がなされている。
【０２０６】
具体的には、無影灯５０からの光２２は基本的には手術者である医者が患部を施術する上で最も観察しやすい照度を確保できるように、輝度の高いハロゲンランプ（場合によっては白色ＬＥＤ）６と配光性を最適化するためのリフレクター７及び光散乱を整える照明用レンズ５からなる光源体により直進方向を照らし出せるような配光設計がなされている。またこれをベースに、患者を全体的に照らしだすモードや時には患者の特異対象部位に焦点を合わせ適度なスポット光照射をも可能とするモードなどの切り換えを可能としており、これらの切り換え制御等を例えばタッチ式の操作パネル１２（あるいは切り換えスイッチ１３）で行なうようにしている。操作パネル１２は、施術時に於いても作業者がスムーズに行うことが出来るよう例えば、本体ユニット１の側面に配設されている。
【０２０７】
また、本実施形態の無影灯５０に内蔵される紫外線照射装置１００のＵＶランプ３は、殺菌エネルギーであるＵＶＣ領域の紫外線を効率良く出力することのできる例えば直管型ＵＶランプ３であり、本体ユニット１の前面（前面クリアカバー２と同じ高さ位置）にランプフォルダー４により取り付けられている。なお、複数の照明用光源６とＵＶランプは、略円形の前面クリアカバー２の周方向において交互になるように配置される。
【０２０８】
図１２はＵＶランプ３の配置とＵＶランプ３から照射される光（紫外線）２３の照射方向を示した概要図である。直管型のＵＶランプ３は一般的な蛍光灯の光と同じで全方位への光照射が可能であるため、その殺菌エネルギーは本体ユニット１の前面クリアカバー２の表面に沿う方向及び手術作業空間と無影灯５０が照明として光２２を照射する方向（図１０）と同方向へ行き渡らせることができる。これにより、作業機器類としての無影灯５０や手術台及びそれらの手すり表面などを中心に付着した有害な落下菌や浮遊菌を短時間で効果的に殺菌することができ、感染予防を図ることができる。
【０２０９】
殺菌に有効な紫外線エネルギー自体は人体に有害であるため、手術に当たる医者や看護師および患者の特に術野を除く部位にも直接紫外線が当たらないような構成にすることが望ましい。
【０２１０】
そこで、無影灯５０としては通常の手術に支障が生じないような明るさを確保できる構成としつつ、その表面（前面クリアカバー２）の表面に取り付けたＵＶランプ３は、無影灯５０とは別途独立して点灯／消灯が可能となるように、無影灯５０（照明用光源６）とＵＶランプ６の点灯／消灯を切り換えるように構成する。無影灯５０とＵＶランプ６の点灯／消灯の切り換えは、例えば切り換えスイッチ１３などによって手動で行なうことができる。また、自動でＵＶランプ３照射時間が設定（制御）できるタイマー機能を備えてもよい。さらに、ＵＶランプ３は、その点灯時間および消灯時間の制御プログラムを、紫外線照射装置１００の駆動制御手段１１３に供えている。ＵＶランプ３の点灯時間および消灯時間の制御プログラムは、上述の紫外線照射装置１００の構成として説明したものと同様である。すなわち、ＵＶランプ３の点灯時間と消灯時間の制御方法は、上述の紫外線照射装置１００における制御方法に基づいて設定される。また、ＵＶランプ３の点灯時間および消灯時間や、照射時間のタイマーの設定は例えば操作パネル１２や切り換えスイッチ１３の操作などにより任意に（手動で）設定・変更も可能である。
【０２１１】
ＵＶランプ３による紫外線照射（点灯）は、例えば制御プログラムなどによって（あるいは手動で）、手術が行なわれていない時間帯（殺菌対象領域Ｓが稼動していない時間帯）に手術室内や手術台、その他設備機器や空間に対して行なわれるが、殺菌対象領域Ｓの稼働中においても、例えば手術を受けている患者の術野に対して、縫合前などの極僅かな時間（人体に悪影響を与えない程度の短時間）に集中的に照射することが可能である。これにより、患者の手術部位の落下菌および手術部位周囲の浮遊菌を殺菌することができる。具体的には、例えば、図８（Ａ）を参照して説明した点灯／消灯の制御プログラムと同様の運用が可能である。
【０２１２】
このように、本実施形態の紫外線照射装置１００を用いることで、まず患者の開胸（開創）前に手術エリアの菌数を下げることができる。また、手術中においては殺菌のために僅かな時間だけ作業者を退避させて菌数の増加を抑制することができ、可能な限り手術を中断せずに（手術室の稼働率を上げて）殺菌対象領域Ｓの殺菌を行なうことができる。また、手術終了後、閉胸（閉創）前に、僅かな時間、術野に紫外線を照射することで菌の存在確率を下げ多状態で閉胸し、術後感染確立を下げることができる。
【０２１３】
また、手術が行なわれていない時間帯の殺菌処理は、十分な時間を掛けて行うことができるが、この場合は、手術室内への作業者の入室を管理する必要がある。このため、紫外線照射装置１００に設けた人感センサ１５（１１５）によって手術室内、特に無影灯５０付近（その直下）が有人であるか否かを監視し、ＵＶランプ６の点灯中に有人を検知した場合には、ＵＶランプ６を自動で消灯するように構成するとよい。
【０２１４】
また、これに加えて、無影灯５０の付近に作業者が存在している場合に誤って無影灯５０（照明用光源６）をＵＶランプ３に切り換えてしまった場合に緊急停止できる非常停止ボタン１４を例えば操作パネル１２付近に設けるとよい。これにより、意図しない紫外線照射による人体への悪影響を回避でき、安全に殺菌処理を行うことができる。
【０２１５】
既に述べたように本体ユニット１を構成する部材は軽量化のため樹脂材料が主に用いられるが、本体ユニット１に組み込まれたＵＶランプ３から照射する紫外線エネルギーで前面クリアカバー２等が劣化する懸念がある。このため、紫外線が照射される範囲を構成する部品の素材は、紫外線を全く透過しないソーダガラスや紫外線の耐久性の高い表面をアルマイト処理したアルミ及びステンレス等の材料により構成するとよい。
【０２１６】
図１３は、本発明の実施形態にかかる無影灯５０（照明用光源６）とＵＶランプ３の点灯制御の一例を示す回路図である。病院で電力源として得やすい商用電源ＡＣ１００Ｖを動作電源とし、照明用光源６の点灯に必要な安定器電源８（プリント基板）に電力を供給する回路とＵＶランプ３の点灯に必要な安定器電源１６（プリント基板）に電力を供給するための回路（駆動制御手段１１３に含まれる）が並列で接続されている。
【０２１７】
照明用光源６及びＵＶランプ３の灯数並びにそれら光源の点灯に必要となる電源の数量は必要となる照明スペースや殺菌エリア（殺菌対象領域Ｓのサイズ）および換気能力、収容人数、などを勘案して適宜選択される。すなわち、図８や図１３に示した数（いずれも６灯ずつ）に限定されず、いずれも増減しても良い。
【０２１８】
更にＵＶランプ３、照明用光源６のいずれもそれぞれに１灯毎個別に選択して点灯と消灯が制御できるように構成するとよい。これらの切り換えは、例えば切り換えスイッチ１３などにより行なう。これにより、照明用光源６とＵＶランプ３をそれぞれ、またそれぞれについて１灯ずつ点灯／消灯させるなどして、照射の影が生じないように満遍なく必要な領域に照明または紫外線を照射することができる。
【０２１９】
さらに例えば、手術中においてＵＶランプ３および照明用光源６の少なくともいずれかを最適な照射量とすることが出来るモード選択機能と、殺菌処理時にＵＶランプ３の過度な照射を抑制するために部分的にＵＶランプを点灯（消灯）するなどの措置が任意で行える省力化モード選択機能を設け、作業者が任意に選択できるように構成してもよい。これらの制御及び選択は、例えば操作パネル１２の操作によって行なう。これにより、より現場状況に適した紫外線照射装置１００を兼ね備えた照明装置５０として幅広い活用に対応することができる。
【０２２０】
なお、紫外線による殺菌効果は前述の通り積算照射量（ｍＪ／ｃｍ２）で決まるため、省力化モードでＵＶ照度（ｍｗ／ｃｍ２）が低い場合に於いては、照射時間（ｓｅｃ）を長く確保することで、規定の殺菌が行える。従ってＵＶランプ３の点灯タイマーの設定として、部分的に消灯したＵＶランプ４が点灯していたと仮定した場合の照射量（％）に対応する照射時間を算出し、その照射時間分長目に、残りのＵＶランプを点灯させることで必要な殺菌効果を確保することが出来る。
【０２２１】
なお、本体ユニット１の内部に加湿器やヒーター、冷却手段などを設け、必要に応じて患者の手術部位に対して加湿を行ったり、保温・冷却などを行なうようにしてもよい。
【０２２２】
以上説明したように、本実施形態の無影灯５０は、ＵＶＣ領域の紫外線エネルギーを効率良く発光することのできるＵＶランプ３を有し、照明機器の表面及びその周囲空間を隈なくＵＶランプから照射される殺菌能力を有した紫外光を照射することにより、手術時のみならず、手術時以外の時間帯に手術室内空間と手術台及び周辺機器に同時に紫外線を隈なく照射し、広範囲に渡り殺菌処理を施すことができる。
【０２２３】
これにより、薬液散布や拭き取り等の消毒剤を用いた洗浄等、従来の方法による殺菌処理に係る負担を無くし、自動で手術環境の殺菌が行え、クリーンな状態を保つことのできる照明装置５０を提供することができる。
【０２２４】
すなわち、菌数管理の必要なエリアの目的機器と周囲の空間を、設備の稼働率を低下させることなく、効率よく、安全に殺菌し、環境を維持することができる。
【０２２５】
一般的に無影灯５０は手術時での利用を目的として手術室（手術台の上）に設置されているが、本実施形態の無影灯５０は、一般の手術室のみならず、集中治療室や場合によっては実験用手術あるいは動物病院における照明装置として幅広く活用することが見込める。特に本実施形態である紫外線照射装置１００による手術室の空間と手術台等の設備機器の表面殺菌機能は、体力が低い重篤な患者や老人から子供までを感染から保護し、現場作業者である医者や看護師の手を煩わすことなく感染源そのものを断ち切り作業衛生環境を向上することが可能となる。
【０２２６】
以上説明した本実施形態の照明装置５０は、無影灯に限らず、処置室、無菌充てん室、動物病院で利用される照明装置や、精密機器の製造、医薬品の製造、食品加工（特に保存剤を使わない食品などの加工、無菌充填下降）等を行なうクリーンルームなどで利用される照明装置に適用可能である。
【０２２７】
尚、本発明は、上記した実施の形態に限定されるものではなく、本発明の要旨を逸脱しない範囲内において種々変更を加え得ることは勿論である。
【産業上の利用可能性】
【０２２８】
本発明は、手術室やクリーンルームなど、菌数管理が必要な環境における殺菌装置などに利用できる。
【符号の説明】
【０２２９】
１    本体ユニット
２    前面クリアカバー
３    ランプ
４    ランプフォルダー
５    照明用レンズ
６    照明用光源（ＵＶランプ）
７    リフレクター
８    安定器電源
９    冷却ファン
１０    アーム
１１    アーム関節
１２    操作パネル
１３    スイッチ
１４    非常停止ボタン
１５    人感センサ
１６    安定器電源
１７    配線
１８    ルーファー
１９    背面蓋
２０    サイドグリップ
２１    角度調整グリップ
５０    照明装置（無影灯）
１００    紫外線照射装置
１１１    ケース
１１２    紫外線照射手段（低圧水銀ランプ）
１１３    駆動制御手段
１１４    集光手段
１１５    検知手段
１１５    人感センサ
１１６    阻害手段（ランプスリーブ）
Ｓ    殺菌対象領域
【図１】
2019186880.tif 000003
【図２】
2019186880.tif 000004
【図３】
2019186880.tif 000005
【図４】
2019186880.tif 000006
【図５】
2019186880.tif 000007
【図６】
2019186880.tif 000008
【図７】
2019186880.tif 000009
【図８】
2019186880.tif 000010
【図９】
2019186880.tif 000011
【図１０】
2019186880.tif 000012
【図１１】
2019186880.tif 000013
【図１２】
2019186880.tif 000014
【図１３】
2019186880.tif 000015
【手続補正書】
【提出日】平成31年1月16日(2019.1.16)
【手続補正１】
【補正対象書類名】特許請求の範囲
【補正対象項目名】全文
【補正方法】変更
【補正の内容】
【特許請求の範囲】
【請求項１】
殺菌対象領域に紫外線を照射して殺菌する紫外線照射装置であって、
所定の主波長の紫外線を出力可能な紫外線照射手段と、
駆動制御手段と、を有し、
前記駆動制御手段は、
前記殺菌対象領域の菌数を大幅に減少させることが可能な第一の時間で紫外線を照射する殺菌ステップと、
前記第一の時間の経過後に紫外線を非照射の状態とし、該第一の時間が経過した後の所定の菌の増殖を抑制可能な第二の時間まで待機する待機ステップと、
直前の前記待機ステップが終了した際に増加している前記菌の殺菌が可能な第三の時間で紫外線を照射する殺菌ステップと、
前記第三の時間の経過後に紫外線を非照射の状態とし、該第三の時間が経過した後の前記菌の増殖を抑制可能な第四の時間まで待機する待機ステップと、
を行うように前記紫外線照射手段を自動で制御して殺菌処理を行うものであり、
前記第二の時間は、前記第一の時間よりも長い時間であり、
前記第四の時間は、前記第三の時間よりも長い時間であり、
前記第三の時間は、前記第一の時間より短い時間である、
ことを特徴とする紫外線照射装置。
【請求項２】
前記駆動制御手段は、前記第三の時間の前記殺菌ステップと、前記第四の時間の前記待機ステップとを少なくとも１回行う、
ことを特徴とする請求項１に記載の紫外線照射装置。
【請求項３】
前記駆動制御手段は、前記第二の時間の前記待機ステップの後に、前記第三の時間の前記殺菌ステップと、前記第四の時間の前記待機ステップとを繰り返し行う、
ことを特徴とする請求項１または請求項２に記載の紫外線照射装置。
【請求項４】
前記第二の時間は、前記第一の時間が経過した後の前記菌の増殖を抑制可能な時間のうち可能な限り長い時間である、
ことを特徴とする請求項１乃至請求項３のいずれか一項に記載の紫外線照射装置。
【請求項５】
前記第二の時間は、前記第一の時間の２倍〜６倍の時間である、
ことを特徴とする請求項１乃至請求項４のいずれか一項に記載の紫外線照射装置。
【請求項６】
前記第一の時間は、前記第三の時間の５倍程度の時間である、
ことを特徴とする請求項１乃至請求項５のいずれか一項に記載の紫外線照射装置。
【請求項７】
前記殺菌対象領域の少なくとも紫外線照射領域における有人／無人を検知する検知手段を備え、
前記駆動制御手段は、前記検知手段が有人であることを検知した場合には前記紫外線照射手段を非照射にする、
ことを特徴とする請求項１乃至請求項６のいずれか一項に記載の紫外線照射装置。
【請求項８】
前記紫外線照射手段は、ＵＶＣ領域の波長の紫外線を出力する、
ことを特徴とする請求項１乃至請求項７のいずれか一項に記載の紫外線照射装置。
【請求項９】
紫外線が空気中へ照射されることによるオゾンの生成を阻害する阻害手段を備える、
ことを特徴とする請求項１乃至請求項８のいずれか一項に記載の紫外線照射装置。
【請求項１０】
前記紫外線照射手段を複数備える、
ことを特徴とする請求項１乃至請求項９のいずれか一項に記載の紫外線照射装置。
【請求項１１】
前記殺菌対象領域は作業者が入退室可能であり、所定の清潔性が維持されていることが想定されている作業空間である、
ことを特徴とする請求項１乃至請求項１０のいずれか一項に記載の紫外線照射装置。
【請求項１２】
殺菌対象領域に紫外線を照射して殺菌する紫外線照射方法であって、
前記殺菌対象領域の菌数を大幅に減少させることが可能な第一の時間で所定の主波長の紫外線を照射する殺菌ステップと、
前記第一の時間の経過後に紫外線を非照射の状態とし、該第一の時間が経過した後の所定の菌の増殖を抑制可能な第二の時間まで待機する待機ステップと、
直前の前記待機ステップが終了した際に増加している前記菌の殺菌が可能な第三の時間で紫外線を照射する殺菌ステップと、
前記第三の時間の経過後に紫外線を非照射の状態とし、該第三の時間が経過した後の前記菌の増殖を抑制可能な第四の時間まで待機する待機ステップと、
を行うように紫外線の照射状態を制御して殺菌処理を行うものであり、
前記第二の時間は、前記第一の時間よりも長い時間であり、
前記第四の時間は、前記第三の時間よりも長い時間であり、
前記第三の時間は、前記第一の時間より短い時間である、
ことを特徴とする紫外線照射方法。
【請求項１３】
前記第三の時間の前記殺菌ステップと、前記第四の時間の前記待機ステップとを少なくとも１回行う、
ことを特徴とする請求項１２に記載の紫外線照射方法。
【請求項１４】
前記第二の時間の前記待機ステップの後に、前記第三の時間の前記殺菌ステップと、前記第四の時間の前記待機ステップとを繰り返し行う、
ことを特徴とする請求項１２または請求項１３に記載の紫外線照射方法。
【請求項１５】
前記第二の時間は、前記第一の時間が経過した後の前記菌の増殖を抑制可能な時間のうち可能な限り長い時間である、
ことを特徴とする請求項１２乃至請求項１４のいずれか一項に記載の紫外線照射方法。
【請求項１６】
前記第二の時間は、前記第一の時間の２倍〜６倍の時間である、
ことを特徴とする請求項１２乃至請求項１５のいずれか一項に記載の紫外線照射方法。
【請求項１７】
前記第一の時間は、前記第三の時間の５倍程度の時間である、
ことを特徴とする請求項１２乃至請求項１６のいずれか一項に記載の紫外線照射方法。
【請求項１８】
前記殺菌対象領域の少なくとも紫外線照射領域における有人／無人を検知し、有人であることを検知した場合には紫外線を非照射にする、
ことを特徴とする請求項１２乃至請求項１７のいずれか一項に記載の紫外線照射方法。
【請求項１９】
紫外線は、ＵＶＣ領域の波長を有する、
ことを特徴とする請求項１２乃至請求項１８のいずれか一項に記載の紫外線照射方法。
【請求項２０】
紫外線は、オゾンが生成される波長が除かれた状態で空気中に照射される、
ことを特徴とする請求項１２乃至請求項１９のいずれか一項に記載の紫外線照射方法。
【請求項２１】
請求項１乃至請求項１１のいずれか一項に記載の紫外線照射装置と照明用光源とを備えた照明装置。
【請求項２２】
前記照明用光源の光の照射方向と、前記紫外線照射装置の紫外線照射方向の少なくとも一部が同方向に設定されている、
ことを特徴とする請求項２１に記載の照明装置。
【請求項２３】
前記光の照射方向と前記紫外線照射方向を変更可能な調整手段を備える、
ことを特徴とする請求項２２に記載の照明装置。
【請求項２４】
前記照明用光源はハロゲンランプまたはＬＥＤであり、無影灯の機能を有する、
ことを特徴とする請求項２１乃至請求項２３のいずれか一項に記載の照明装置。
【請求項２５】
請求項１乃至請求項１１のいずれか一項に記載の紫外線照射装置と、
前記殺菌対象領域への人物の入出を管理する管理手段とを備え、
前記駆動制御手段は、前記管理手段による入出の管理と連動させて前記紫外線照射装置の制御を行う、
ことを特徴とする紫外線照射システム。
【手続補正２】
【補正対象書類名】明細書
【補正対象項目名】００１１
【補正方法】変更
【補正の内容】
【００１１】
本発明は、殺菌対象領域に紫外線を照射して殺菌する紫外線照射装置であって、所定の主波長の紫外線を出力可能な紫外線照射手段と、駆動制御手段と、を有し、前記駆動制御手段は、前記殺菌対象領域の菌数を大幅に減少させることが可能な第一の時間で紫外線を照射する殺菌ステップと、前記第一の時間の経過後に紫外線を非照射の状態とし、該第一の時間が経過した後の所定の菌の増殖を抑制可能な第二の時間まで待機する待機ステップと、直前の前記待機ステップが終了した際に増加している前記菌の殺菌が可能な第三の時間で紫外線を照射する殺菌ステップと、前記第三の時間の経過後に紫外線を非照射の状態とし、該第三の時間が経過した後の前記菌の増殖を抑制可能な第四の時間まで待機する待機ステップと、を行うように前記紫外線照射手段を自動で制御して殺菌処理を行うものであり、前記第二の時間は、前記第一の時間よりも長い時間であり、前記第四の時間は、前記第三の時間よりも長い時間であり、前記第三の時間は前記第一の時間より短い時間である、ことを特徴とする紫外線照射装置である。
【手続補正３】
【補正対象書類名】明細書
【補正対象項目名】００１２
【補正方法】変更
【補正の内容】
【００１２】
また、本発明は、殺菌対象領域に紫外線を照射して殺菌する紫外線照射方法であって、前記殺菌対象領域の菌数を大幅に減少させることが可能な第一の時間で所定の主波長の紫外線を照射する殺菌ステップと、前記第一の時間の経過後に紫外線を非照射の状態とし、該第一の時間が経過した後の所定の菌の増殖を抑制可能な第二の時間まで待機する待機ステップと、直前の前記待機ステップが終了した際に増加している前記菌の殺菌が可能な第三の時間で紫外線を照射する殺菌ステップと、前記第三の時間の経過後に紫外線を非照射の状態とし、該第三の時間が経過した後の前記菌の増殖を抑制可能な第四の時間まで待機する待機ステップと、を行うように紫外線の照射状態を制御して殺菌処理を行うものであり、前記第二の時間は、前記第一の時間よりも長い時間であり、前記第四の時間は、前記第三の時間よりも長い時間であり、前記第三の時間は前記第一の時間より短い時間である、ことを特徴とする紫外線照射方法である。
【手続補正４】
【補正対象書類名】明細書
【補正対象項目名】００３４
【補正方法】変更
【補正の内容】
【００３４】
この場合の第三の時間Ｔ３は、第二の時間Ｔ２が経過した際に増加している菌の殺菌が可能な短い時間であり、第四の時間Ｔ４は、第三の時間Ｔ３が経過後の菌の増殖を抑制可能な時間であって、第三の時間Ｔ３よりも長い時間である。また、この場合の第三の時間Ｔ３は第一の時間Ｔ１より短い時間である。以降、殺菌対象領域Ｓの使用時間に合わせて、低圧水銀ランプ１１２の第三の時間Ｔ３での点灯と第四の時間Ｔ４での消灯とを繰り返す。
【手続補正５】
【補正対象書類名】明細書
【補正対象項目名】００４４
【補正方法】変更
【補正の内容】
【００４４】
ステップＳ０４では、第二の時間Ｔ２の経過後に第三の時間Ｔ３で紫外線を再度照射する。第三の時間Ｔ３は、第二の時間Ｔ２が経過した際（初回の殺菌処理が終了した後）に増加している所定の対象の菌の殺菌が可能な時間のうち可能な限り短い期間である。また、この第三の時間Ｔ３は第一の時間Ｔ１より短い期間である。
【手続補正６】
【補正対象書類名】図面
【補正対象項目名】図２
【補正方法】変更
【補正の内容】
【図２】
2019186880.tif 000016
【国際調査報告】
2019186880.tif 000017
2019186880.tif 000018
2019186880.tif 000019
2019186880.tif 000020